(57)【要約】      （修正有）【課題】ループしたリング状に簡単且つ確実に止めることができ、盗難等に対する安全性を高めるとともに、使用者への装着性が良く、しかも使用者自身による装着および取外し性が良好な装身具を提供する。【解決手段】柔軟性材料によって形成されたチューブ１２と、チューブの内部に挿入された磁石１３〜１５と、チューブの両端部を閉鎖するキャップ１６、１７と、チューブが挿入される柔軟性の外皮と、外皮の両端部を閉鎖する外キャップとを備える。磁石の吸磁力によって長さ方向の両端部が相互に吸着されることにより全体がリング状となる。【選択図】図１
0003205260.tif 000002
【実用新案登録請求の範囲】
【請求項１】
柔軟性材料によって形成されたチューブと、前記チューブの内部に挿入された磁石と、前記チューブの両端部を閉鎖するキャップと、前記チューブが挿入される柔軟性の外皮と、前記外皮の両端部を閉鎖する外キャップとを備え、前記磁石の吸磁力によって長さ方向の両端部が相互に吸着されることにより全体がリング状となることを特徴とする装身具。
【請求項２】
前記複数の磁石は前記チューブの長さ方向の全範囲に挿入されていることを特徴とする請求項１記載の装身具。
【請求項３】
前記磁石に加えて非磁性材料又は磁性材料からなるスペーサが前記チューブの内部に挿入され、前記複数の磁石は少なくとも前記チューブ内の両端部に配置されていることを特徴とする請求項１記載の装身具。
【請求項４】
前記磁石は前記チューブの内部で回転可能となっていることを特徴とする請求項１乃至３のいずれか１項記載の装身具。
【請求項５】
前記装身具における長さ方向の一端側と他端側とを平行に揃える止め具をさらに備えていることを特徴とする請求項１乃至４のいずれか１項記載の装身具。
【請求項６】
芯線がリング状の無端形状に形成されており、前記芯線が複数の飾り部材を挿通することにより飾り部材が連珠状となっている装身具であって、
前記芯線は３０℃前後以上でリング状に復元する形状記憶合金によって形成されていることを特徴とする装身具。
【考案の詳細な説明】
【技術分野】
【０００１】
本考案は身体に巻き付けて使用するネックレス等の装身具に関する。
【背景技術】
【０００２】
一般にネックレス等の装身具は紐状に形成されており、両端には互いに組み合って着脱可能に係止できる１組の鉤等からなる止め具が設けられている。このような装身具を身体の首等に装着する場合には、使用者が装身具の両端を手に持って、装身具の中間部分を首の後方に配置した後、両端を首の前方に回し込んで巻き付け、その後に装身具の両端に設けられた鉤等の止め具を係止する。これにより、装身具が首周りにリング状に巻回され閉じた状態となる。
【０００３】
装身具の止め具には種々の構造のものがあり、例えば装身具の一端側に出没できるピンを設ける一方、他端側に輪を設け、この輪にピンを通すことにより両者を係止させる構造のもの、あるいは装身具の一端側に開閉できる輪を設け、この輪に装身具の他端側を挿通させて任意の径のリング状にして装着できる構造としたもの等がある。
【０００４】
通常、これらの止め具は装身具の装飾効果に影響しないように小形な構成、例えば指で漸く摘むことができる程度の小さい構成とされている場合が多い。このような止め具の場合、若者や高視力保持者、手指の感覚が良好な人等については装身具の装着および取外し操作等に支承のないことが多いが、高齢者や低高視力者、手指感覚が良くない人等については装身具の装着および取外し等の操作に困難を生じることがある。
【０００５】
これに対し、従来では装身具の装着操作を容易に行えるように、ネックレス等の止め手段として磁石を用いる構成のものがある。例えば、紐状体の材料に磁石粉末を混入し、射出成形や押出成形によりプラスチックマグネット、あるいはゴム磁石として構成したものが提案されている（例えば、特許文献１、２等参照）。
【先行技術文献】
【特許文献】
【０００６】
【特許文献１】特開２００２−１１９３１３号公報
【特許文献２】特開平１０−１６５２１１号公報
【考案の開示】
【考案が解決しようとする課題】
【０００７】
特許文献１，２等に記載されたプラスチックマグネットやゴム磁石では、磁石材料を含有する量に制約があるため、得られる吸磁力が３００ガウス程度と弱い。このため、装身具の止め手段に適用した場合に強力な止着を行うことができず、人力による引張り作用で容易に外れる。したがって、このような外れ易い装身具を例えば老人等が装着している場合、他人が装着者から装身具を引き剥がすという盗難の被害が増加する傾向にある。
【０００８】
一方、装身具の止め手段として吸磁力が高い金属磁石を用いた止め具を装身具の本体部分と別に作り、この金属磁石を用いた止め具を外部から本体部分に組込む構成も知られている。しかし、この場合には磁石の吸磁力が過度に強くなり、利用者自身が装身具を外しにくくなる等、使用上での不便を生じることがある。
【０００９】
本考案はこのような事情に鑑みてなされたものであり、ループしたリング状に簡単且つ確実に止めることができ、盗難等に対する安全性を高めるとともに、使用者への装着性が良く、しかも使用者自身による装着および取外し性が良好な装身具を提供することを目的とする。
【課題を解決するための手段】
【００１０】
本考案の装身具は、柔軟性材料によって形成されたチューブと、前記チューブの内部に挿入された磁石と、前記チューブの両端部を閉鎖するキャップと、前記チューブが挿入される柔軟性の外皮と、前記外皮の両端部を閉鎖する外キャップとを備え、前記磁石の吸磁力によって長さ方向の両端部が相互に吸着されることにより全体がリング状となることを特徴とする。
【００１１】
上記装身具においては、前記複数の磁石は前記チューブの長さ方向の全範囲に挿入されていることを特徴とする。又、前記磁石に加えて非磁性材料又は磁性材料からなるスペーサが前記チューブの内部に挿入され、前記複数の磁石は少なくとも前記チューブ内の両端部に配置されていることを特徴とする。
【００１２】
前記磁石は前記チューブの内部で回転可能となっていることを特徴とする、また、前記装身具における長さ方向の一端側と他端側とを平行に揃える止め具をさらに備えていることを特徴とする。
【００１３】
さらに、本考案の装身具は、芯線がリング状の無端形状に形成されており、前記芯線が複数の飾り部材を挿通することにより飾り部材が連珠状となっている装身具であって、
前記芯線は３０℃前後以上でリング状に復元する形状記憶合金によって形成されていることを特徴とする。
【考案の効果】
【００１４】
本考案によれば、柔軟性材料からなるチューブに挿入された磁石の吸磁力によって長さ方向の両端部が相互に吸着されることにより全体がリング状となるため、簡単且つ確実にリング状とすることができ、盗難等に対する安全性を高めるとともに、使用者への装着性が良く、しかも使用者自身による装着および取外し性が良好な装身具とすることができる。
【図面の簡単な説明】
【００１５】
【図１】本考案の第１実施形態による装身具本体を示す分解斜視図である。
【図２】第１実施形態による装身具本体を示す全体断面図である。
【図３】第１実施形態による装身具の全体部品を示す分解斜視図である。
【図４】第１実施形態による装身具の全体構成を示す斜視図である。
【図５】図４のＡ−Ａ線断面図である。
【図６】図４のＢ−Ｂ線断面図である。
【図７】本考案の第１実施形態による装身具の装着状態の一例を示す説明図である。
【図８】図７のＣ部を拡大して示す部分断面図である。
【図９】本考案の第１実施形態による装身具の装着状態の別例を示す説明図である。
【図１０】図９のＤ部を拡大し、装着過程を説明するための部分断面図である。
【図１１】本考案の第１実施形態による装身具の止め具の一例を示す斜視図である。
【図１２】図１１に示した止め具を用いた装着過程の一例を示す説明図である。
【図１３】図１１に示した止め具を用いた装着状態の一例を示す拡大図である。
【図１４】図１１に示した止め具を用いた装着過程の別例を示す説明図である。
【図１５】図１１に示した止め具を用いた装着状態の別例を示す拡大図である。
【図１６】本考案の第１実施形態による装身具の止め具の他の例を示す斜視図である。
【図１７】図１６に示した止め具を用いた装着過程の一例を示す説明図である。
【図１８】図１６に示した止め具を用いた装着状態の一例を示す拡大図である。
【図１９】図１６に示した止め具を用いた装着過程の別例を示す説明図である。
【図２０】図１６に示した止め具を用いた装着状態の別例を示す拡大図である。
【図２１】本考案の第２実施形態による装身具の本体を示す分解斜視図である。
【図２２】第２実施形態による装身具の本体を示す全体断面図である。
【図２３】本考案の第３実施形態による装身具の本体を示す分解斜視図である。
【図２４】第３実施形態による装身具の本体を示す全体断面図である。
【図２５】本考案の第４実施形態による装身具の本体を示す分解斜視図である。
【図２６】第４実施形態による装身具の本体を示す全体断面図である。
【図２７】本考案の第５実施形態による装身具を示す拡大断面図である。
【図２８】本考案で適用する磁石の構成を示す拡大斜視図である。
【図２９】図２８に示した磁石を複数個直列に配置した場合の配列状態を示す図である。
【図３０】本考案で適用する磁石の吸着状態を示す図である。
【図３１】図２９に示した磁石の吸着前の状態を示す図である。
【図３２】第１例の止め具を示す斜視図である。
【図３３】第１例の止め具の使用状態を示す説明図である。
【図３４】第１例の止め具止め状態を示す説明図である。
【図３５】第１例の止め具の装着状態の一例を示す説明図である
【図３６】第１例の止め具の止め構造を示す拡大断面図である。
【図３７】第２例の止め具を示す斜視図である。
【図３８】第３例の止め具を示す斜視図である。
【図３９】第３例の止め具を示す縦断面図である。
【図４０】第４例の止め具を示す斜視図である。
【図４１】第５例の止め具を示す斜視図である。
【図４２】第５例の止め具を示す縦断面図である。
【図４３】第６例の止め具を示す斜視図である。
【図４４】第６例の止め具を示す縦断面図である。
【図４５】第７例の止め具を示す斜視図である。
【図４６】第７例の止め具を示す縦断面図である。
【図４７】第８例の止め具を示す斜視図である。
【図４８】第８例の止め具を示す側面図である。
【図４９】第９例の止め具を示す斜視図である。
【図５０】第９例の止め具を示す縦断面図である。
【図５１】第１０例の止め具を示す斜視図である。
【図５２】第１０例の止め具を示す縦断面図である。
【図５３】第１１例の止め具を示す斜視図である。
【図５４】第１１例の止め具を示す側面図である。
【図５５】第１２例の止め具を示す斜視図である。
【図５６】第１２例の止め具を示す側面図である。
【図５７】第１３例の止め具を示す斜視図である。
【図５８】第１３例の止め具を示す内部斜視図である。
【図５９】第１４例の止め具を示す斜視図である。
【図６０】第１４例の止め具を示す縦断面図である。
【図６１】第１５例の止め具を示す斜視図である。
【図６２】（ａ）、（ｂ）は第１６例の止め具を示す斜視図、部品説明図である。
【図６３】第１６例の止め具を示す縦断面図である。
【図６４】第１７例の止め具を示す斜視図である。
【図６５】第１７例の止め具を示す縦断面図である。
【図６６】第１８例の止め具を示す斜視図である。
【図６７】第１８例の止め具を示す側面図である。
【図６８】第１９例の止め具を示す斜視図である。
【図６９】第１９例の止め具を示す縦断面図である。
【図７０】本考案の第６実施形態による装身具の正面図である。
【考案を実施するための最良の形態】
【００１６】
以下、本考案に係る装身具の実施形態について図面を参照して説明する。各実施形態において、同一の部材には同一の符号を付して対応させることにより重複する説明を省略する。なお、以下の実施形態では、本考案の装身具をネックレスに適用した場合を例としてが、ネックレス以外の装身具、例えばブレスレット、ベルト、その他の各種の装身具として適用することができる。
【００１７】
［第１実施形態］
図１は、本考案の第１実施形態による装身具の基本構成部分である装身具本体を示す分解斜視図である。装身具本体１１は、両端が開口する１本の紐状のチューブ１２と、このチューブ１２内に挿入される複数個の磁石１３‥，１４‥，１５‥と、チューブ１２の一端側開口部１８を塞ぐ一端側キャップ１６と、チューブ１２の他端側開口部１９を塞ぐ他端側キャップ１７とにより構成されている。
【００１８】
チューブ１２は装身具本体１１を装着する使用者の首周りに装着できる所定長さに設定されており、柔軟性のある合成樹脂またはゴム質等の柔軟性材料により円管状に構成されている。この構成により、チューブ１２は長手方向に沿う両端部間において軸心周りに相対的に１８０°以上、容易に捩ることができるとともに、使用者の首周りに沿って巻き付けて容易に湾曲することができ、リング形状とすることができる。チューブ１２の引張り強度は人力によって容易に破断されない程度であることが望ましい。また、チューブ１２は例えば透明体、半透明体または着色体等、種々の装飾的効果を奏するものであることが望ましい。
【００１９】
磁石１３‥はチューブ１２の一端側開口部１８内に挿入される複数の一端側磁石である。一端側磁石１３‥は、径および長さが同一の円柱状に構成されており、チューブ１２の一端側開口部１８内に挿入される場合には、チューブ１２の円管の中心部と一端側磁石１３‥の中心部とが一致する状態となる。各一端側磁石１３‥はチューブ１２の長さ方向に沿い、軸方向端部がそれぞれ向き合う直列配置で挿入される。これらの一端側磁石１３‥は強力な吸磁力（例えば２０００ガウス）を有する金属磁石、例えばフェライト磁石が用いられる。
【００２０】
磁石１４‥は、チューブ１２における一端側磁石１３‥が挿入された端部と反対側の端部、すなわちチューブ１２の他端側開口部１９内に挿入される複数の他端側磁石である。他端側磁石１４‥も、一端側磁石１３‥と同様に、径および長さが同一の円柱状のものであり、チューブ１２内の長さ方向に沿い、軸方向端部がそれぞれ向き合う直列配置で挿入される。これらの他端側磁石１４‥も、一端側磁石１３‥と同様に、強力な吸磁力（例えば２０００ガウス）を有する金属磁石、例えばフェライト磁石が用いられる。
【００２１】
一端側磁石１３‥および他端側磁石１４‥は、チューブ１２を使用者の首周りに巻き付けた状態において、チューブ１２の一端側開口部１８と他端側開口部１９とが重合または交差する部分で相互に吸磁力を発生する。
【００２２】
磁石１５‥は、チューブ１２内における一端側磁石１３‥および他端側磁石１４‥が挿入される部分以外の部分、すなわちチューブ１２内の中間部分に挿入される複数の中間側磁石である。これらの中間側磁石１５‥も一端側磁石１３‥および他端側磁石１４‥と同様に、径および長さが同一の円柱状のものであり、チューブ１２内の長さ方向に沿い、軸方向端部がそれぞれ向き合う直列配置で挿入される。中間側磁石１５‥が使用者の首周りに専ら配置され、チューブ１２の止め手段として機能しない部分である場合には、必ずしも強力な吸磁力を必要としない。ただし、使用状態によってチューブ１２の止め手段として機能する部分となる場合には、一端側磁石１３‥および他端側磁石１４‥と同様に、フェライト磁石等の強力な吸磁力（例えば２０００ガウス）を有する金属磁石が用いられる。
【００２３】
一端側キャップ１６は、チューブ１２の外径と同一径の半球状キャップ本体部２０と、チューブ１２の孔径と同一径でキャップ本体部２０の平坦面から突出する円柱状の挿入部２１とから構成されている。一端側キャップ１６の円柱状の挿入部２１を、チューブ１２の一端側開口部１８に挿入することにより、この一端側開口部１８をキャップ本体部２０によって閉塞する。他端側キャップ１７は、チューブ１２の外径と同一径の半球状キャップ本体部２２と、チューブ１２の孔径と同一径でキャップ本体部２２の平坦面から突出する円柱状の挿入部２３とから構成されている。他端側キャップ１７の円柱状の挿入部２３を、チューブ１２の他端側開口部１９に挿入することにより、この他端側開口部１９をキャップ本体部２２によって閉塞する。
【００２４】
図２は、図１に示した部品を装身具本体１１として組立てた状態を示す全体断面図である。図２に示すように、チューブ１２の一端側開口部１８内には複数個の一端側磁石１３が直列配置で挿入されるとともに、チューブ１２の他端側開口部１９内には複数個の他端側磁石１４が直列配置で挿入され。チューブ１２内における磁石１３，１４が挿入された一端側開口部１８と他端側開口部１９以外の部分、すなわち中間部分には、複数個の中間側磁石１５が直列配置で挿入され。このようにして一端側磁石１３，他端側磁石１４および中間側磁石１５がチューブ１２の長さ方向全範囲に配置される。
【００２５】
一端側磁石１３，他端側磁石１４および中間側磁石１５の軸方向端面が相互に密接状態で挿入されると、これらの端面が傾くスペース的余裕がなく、ひいてはチューブ１２を湾曲させることができない。そこで、各一端側磁石１３相互間、各他端側磁石１４相互間およびこれらと中間側磁石１５との間、ならびに中間側磁石１５相互間にはそれぞれ所定の隙間が確保され、これにより一端側磁石１３，他端側磁石１４および中間側磁石１５が互いに傾くことができ、ひいてはチューブ１２を湾曲させることができるようになる。
【００２６】
チューブ１２の一端側開口部１８と他端側開口部１９とは、一端側キャップ１６と他端側キャップ１７とによってそれぞれ塞がれ、接着またはネジ構造等により固定される。これにより、チューブ１２の一端側キャップ１６および他端側キャップ１７から一端側磁石１３および他端側磁石１４等が脱落することが防止される。
【００２７】
図３は、装身具本体１１の外周面に外皮２５を設けた装身具２４の全体構成を示す分解斜視図である。外皮２５は例えば金、銀、プラチナ、その他の貴金属、または装飾効果を施した可撓性の各種線材等からなる繊維を編組して構成した円筒状のメッシュ部材が用いられる。外皮２５は、装身具本体１１のチューブ１２のほぼ全体を被覆する大きさに構成されており、軸方向一端側に一端側開口部２９が形成されるとともに、他端側には他端側開口部３０が形成されている。
【００２８】
外皮２５の一端側開口部２９および他端側開口部３０に対し、これらを閉塞する手段として、一端側開口部２９を塞ぐ一端側外キャップ２６と、他端側開口部３０を塞ぐ他端側外キャップ２７とが備えられている。一端側外キャップ２６は、外皮２５の外径とほぼ一致する内径をもつ一端閉塞の短円筒状をなしており、他端にあけた開口部３１を外皮２５の一端側開口部２９の外周側に嵌合できる構成となっている。他端側外キャップ２７も、外皮２５の外径とほぼ一致する内径をもつ一端閉塞の短円筒状をなしており、他端にあけた開口部３２を外皮２５の他端側開口部３０の外周側に嵌合できる構成となっている。
【００２９】
装身具本体１１と外皮２５とを組合せる場合には、図３に矢印で示すように、装身具本体１１の一端側を外皮２５内に他端側開口部３０側から挿入した後、さらにスライド移動させて装身具本体１１の一端側を外皮２５の一端側開口部２９の端部位置に一致させる。この後、外皮２５の一端側開口部２９に一端側外キャップ２６を被せて接着等により固定するとともに、外皮２５の他端側にも他端側外キャップ２７を被せて接着等により固定する。
【００３０】
図４は、以上の操作によって組立てが完成した装身具２４の全体構成を示す斜視図である。装身具２４は装身具本体１１のチューブ１２の外周側に筒状のメッシュ部材である外皮２５を被覆した構造となり、外皮２５のメッシュ部分の隙間から装身具本体１１のチューブ１２の外周面が見えるようになっている。装身具本体１１および外皮２５の一端側は、一端側外キャップ２６の開口部３１内に挿入されて外側から覆われた状態となり、装身具本体１１および外皮２５の他端側は、他端側外キャップ２７の開口部３２内に挿入されて外側から覆われた状態となる。
【００３１】
図５は、図４のＡ−Ａ線断面図（装身具２４の軸方向任意位置での軸直角断面図）である。この図５に示すように、装身具２４の径方向中心位置には装身具本体１１の一端側磁石１３，他端側磁石１４および中間側磁石１５が配置されている。そして、これらの一端側磁石１３，他端側磁石１４および中間側磁石１５の外周側に、装身具本体１１のチューブ１２が配置され、さらにチューブ１２の外周側には外皮２５が配置される。
【００３２】
このような構成では、最外周に配置された外皮２５のメッシュ部分の隙間か装身具本体１１のチューブ１２の外周面が見え、さらに装身具本体１１のチューブ１２、一端側磁石１３，他端側磁石１４および中間側磁石１５を含めた装身具２４が一体的に湾曲することができる。
【００３３】
図６は、図４のＢ−Ｂ線断面図である。図６に示すように、装身具２４の軸方向一端側においては、径方向中心位置に装身具本体１１の一端側磁石１３が配置され、これらの一端側磁石１３の外周側に、チューブ１２、外皮２５および一端側外キャップ２６が配置されている。これにより装身具２４の軸方向一端側では一端側外キャップ２６により一端側磁石１３、チューブ１２、外皮２５および一端側外キャップ２６が一体的に固定される。
【００３４】
なお、図示しないが、装身具２４の軸方向他端側の構成においても図６と同様に、径方向中心位置に装身具本体１１の他端側磁石１４が配置され、この他端側磁石１４の外周側に、外皮２５および他端側外キャップ２７が配置されている。そして、装身具２４の軸方向他端側でも、他端側外キャップ２７により他端側磁石１４、外皮２５および他端側外キャップ２７が一体的に固定されている。
【００３５】
図７は、装身具２４の装着状態の一例を示す説明図である。図７では、装身具２４を装着者３３の首３４周りに装着し、装身具２４の一端側３６と他端側３７とを首３４の後方で重合させて磁力により係止する装着について説明する。
【００３６】
まず装着者３３が一方の手（右手）で装身具２４の一端側３６を把持し、他方の手（左手）で装身具２４の他端側３７を把持する。そして、装身具２４を装着者３３の首３４の前側下方（顎下）から上方に徐々に持上げ、装身具２４の両端を肩３５の上方を介して首３４の後方に回し込む。この後、装身具２４の一端側３６と他端側３７とを重合させるようにする。これにより装身具２４の一端側３６と他端側３７とは、互いに一定距離接近した位置に移動された途端に、吸磁力によって即座に吸着状態となる。すなわち、装着者３３が首３４の後方に装身具２４の一端側３６と他端側３７とを近付けるだけで容易かつ迅速に、しかも強力な磁力により吸着される。
【００３７】
図８はこの吸磁力による吸着を示す。図８は図７のＣ部、すなわち装身具２４の一端側３６と他端側３７との首３４の後側における重合部を拡大して示す部分断面図であり、装身具２４の一端側３６と他端側３７とにおける装身具本体１１内の磁石構造および吸着作用を示している。
【００３８】
図８に示すように、装身具２４の一端側３６と他端側３７との重合部において、一端側３６の装身具本体１１内には、一端側外キャップ２６側から例えば４個の一端側磁石１３（１３ａ，１３ｂ，１３ｃ，１３ｄ）が直列に配置されている。これらの磁石１３（１３ａ，１３ｂ，１３ｃ，１３ｄ）は上述したように、それぞれ円柱状に構成されており、各磁石１３（１３ａ，１３ｂ，１３ｃ，１３ｄ）のＮ極（Ｎ）とＳ極（Ｓ）とは、円柱の互いに反対側の外周面に配置されている。そして、各磁石１３（１３ａ，１３ｂ，１３ｃ，１３ｄ）の互いに隣接するもの同士のＮ極（Ｎ）とＳ極（Ｓ）とが、互い違いの向きに配置されている。具体的には、装身具２４の一端側外キャップ２６側に最も接近した端部側配置の一端側磁石１３ａのＮ極（Ｎ）が下向き、Ｓ極（Ｓ）が上向きとなっている。次に、この一端側磁石１３ａに隣接する端部側から２番目に配置された一端側磁石１３ｂのＮ極（Ｎ）は上向きと、Ｓ極（Ｓ）は下向きとなっている。この一端側磁石１３ｂに隣接する端部側から３番目の一端側磁石１３ｃは、さらに２番目の一端側磁石１３ｂと逆にＮ極（Ｎ）が下向き、Ｓ極（Ｓ）が上向きとなっている。さらにまた、この一端側磁石１３ｃに隣接する端部側から４番目に配置された一端側磁石１３ｄは、３番目の一端側磁石１３ｃと逆に、Ｎ極（Ｎ）が上向き、Ｓ極（Ｓ）が下向きとなっている。この後に続く中間側磁石１５も上記同様に、Ｎ極（Ｎ）とＳ極（Ｓ）とが互い違いの向きに配置されている。
【００３９】
一方、装身具２４の一端側３６と他端側３７との重合部において、他端側３７の装身具本体１１内には、他端側外キャップ２７側から例えば４個の他端側磁石１４（１４ａ，１４ｂ，１４ｃ，１４ｄ）が直列に配置されている。これらの磁石１４（１４ａ，１４ｂ，１４ｃ，１４ｄ）も上述したように、それぞれ円柱状に構成されており、各磁石１４（１４ａ，１４ｂ，１４ｃ，１４ｄ）のＮ極（Ｎ）とＳ極（Ｓ）とは、円柱の互いに反対側の外周面に配置されている。そして、各磁石１４（１４ａ，１４ｂ，１４ｃ，１４ｄ）の互いに隣接するもの同士はＮ極（Ｎ）とＳ極（Ｓ）とが互い違いの向きに配置されている。
【００４０】
具体的には、装身具２４の他端側外キャップ２７側に最も接近して配置された端部側配置の他端側磁石１４ａのＮ極（Ｎ）が上向き、Ｓ極（Ｓ）が下向きとなっている。次に、この他端側磁石１４ａに隣接する端部側から２番目に配置された他端側磁石１４ｂは前記と逆に、Ｎ極（Ｎ）が下向き、Ｓ極（Ｓ）が上向きとなっている。また、この他端側磁石１４ｂに隣接する端部側から３番目に配置された他端側磁石１４ｃは、さらに２番目の他端側磁石１４ｂと逆に、Ｎ極（Ｎ）が上向き、Ｓ極（Ｓ）が下向きとなっている。さらにまた、この他端側磁石１４ｃに隣接する端部側から４番目に配置された他端側磁石１４ｄは、さらに３番目の他端側磁石１４ｃと逆に、Ｎ極（Ｎ）が下向き、Ｓ極（Ｓ）が上向きとなっている。この後に続く中間側磁石１５についても、上記同様に、Ｎ極（Ｎ）とＳ極（Ｓ）とが互い違いの向きに配置されている。
【００４１】
以上により装身具２４の一端側３６と他端側３７との重合部では４個の一端側磁石１３（１３ａ，１３ｂ，１３ｃ，１３ｄ）のＮ極（Ｎ）とＳ極（Ｓ）と、４個の他端側磁石１４（１４ａ，１４ｂ，１４ｃ，１４ｄ）Ｓ極（Ｓ）とＮ極（Ｎ）とが、それぞれ対向する配置となっているため相互に磁気吸着する。ここで各磁石は金属磁石であるため強力に磁気吸着し、容易に引き剥がされることがない。
【００４２】
また、装身具本体１１のチューブ１２は上述したように、長手方向に沿う両端部間において軸心周りに相対的に１８０°以上、容易に捩ることができるため、装着者の首に巻き付けた直後にＮ極（Ｎ）同士、またはＳ極（Ｓ）同士が対向する状態であったとしても、各磁石の吸磁力によって自然にＮ極（Ｎ）とＳ極（Ｓ）とが向き合う図８の状態となる。このため、装着者が人為的に装身具本体１１を回転操作する必要がなく、首周りに容易に装着することができる。
【００４３】
図９は、装身具２４の装着状態の別例を示す説明図である。図９では、装身具２４を装着者３３の首３４周りに装着し、装身具２４の一端側３６と他端側３７とを首３４の前方で下向きに平行状態として左右方向の磁力により係止する装着を行う。
【００４４】
まず装着者３３が一方の手（左手）で装身具２４の一端側３６を把持し、他方の手（右手）で装身具２４の他端側３７を把持する。そして、装身具２４を装着者３３の首３４の後方から両脇に降ろして装身具２４の両端を肩３５の前方で平行に揃え、装身具２４の一端側３６と他端側３７とを重合させる。すると、装身具２４の一端側３６と他端側３７とは、互いに一定距離接近した位置に移動された途端に、吸磁力によって即座に吸着状態となる。すなわち、装着者３３が首３４の前方で下向きに装身具２４の一端側３６と他端側３７とを近付けるだけで容易かつ迅速に、しかも強力な磁力により吸着される。
【００４５】
この吸磁力による吸着作用を図１０により説明する。図１０は図９のＤ部、すなわち装身具２４の一端側３６と他端側３７との首３４の前側下方における重合部を拡大して示す部分断面図であり、装身具２４の一端側３６と他端側３７とにおける装身具本体１１内の磁石構造および吸着作用を示している。
【００４６】
図１０に示すように、装身具２４の一端側３６と他端側３７との重合部において、一端側３６の装身具本体１１内には、一端側外キャップ２６側から例えば４個の一端側磁石１３（１３ａ，１３ｂ，１３ｃ，１３ｄ）が直列に配置されている。これらの磁石１３（１３ａ，１３ｂ，１３ｃ，１３ｄ）は上述したように、それぞれ円柱状に構成されており、各磁石１３（１３ａ，１３ｂ，１３ｃ，１３ｄ）のＮ極（Ｎ）とＳ極（Ｓ）とは、円柱の互いに反対側の外周面に配置されている。各磁石１３（１３ａ，１３ｂ，１３ｃ，１３ｄ）の互いに隣接するもの同士のＮ極（Ｎ）とＳ極（Ｓ）とが、互い違いの向きに配置されている。具体的には、図１０の右側に示されている装身具２４の一端側外キャップ２６側に最も接近した端部側配置の一端側磁石１３ａのＮ極（Ｎ）が左向き、Ｓ極（Ｓ）が右向きとなっている。この一端側磁石１３ａに隣接する端部側から２番目に配置された一端側磁石１３ｂのＮ極（Ｎ）は右向き、Ｓ極（Ｓ）は左向きとなっている。また、この一端側磁石１３ｂに隣接する端部側から３番目の一端側磁石１３ｃは、さらに２番目の一端側磁石１３ｂと逆にＮ極（Ｎ）が左向き、Ｓ極（Ｓ）が右向きとなっている。さらにまた、この一端側磁石１３ｃに隣接する端部側から４番目に配置された一端側磁石１３ｄは、３番目の一端側磁石１３ｃと逆に、Ｎ極（Ｎ）が右向き、Ｓ極（Ｓ）が左向きとなっている。この後に続く中間側磁石１５も上記同様に、Ｎ極（Ｎ）とＳ極（Ｓ）とが互い違いの向きに配置されている。
【００４７】
一方、装身具２４の一端側３６と他端側３７との重合部において、他端側３７の装身具本体１１内には、他端側外キャップ２７側から例えば４個の他端側磁石１４（１４ａ，１４ｂ，１４ｃ，１４ｄ）が直列に配置されている。これらの磁石１４（１４ａ，１４ｂ，１４ｃ，１４ｄ）も上述したように、それぞれ円柱状に構成されており、各磁石１４（１４ａ，１４ｂ，１４ｃ，１４ｄ）のＮ極（Ｎ）とＳ極（Ｓ）とは、円柱の互いに反対側の外周面に配置されている。そして、各磁石１４（１４ａ，１４ｂ，１４ｃ，１４ｄ）の互いに隣接するもの同士はＮ極（Ｎ）とＳ極（Ｓ）とが互い違いの向きに配置されている。
【００４８】
具体的には、装身具２４の他端側外キャップ２７側に最も接近して配置された端部側配置の他端側磁石１４ａのＮ極（Ｎ）が左向き、Ｓ極（Ｓ）が右向きとなっている。この他端側磁石１４ａに隣接する端部側から２番目に配置された他端側磁石１４ｂは前記と逆に、Ｎ極（Ｎ）が右向き、Ｓ極（Ｓ）が左向きとなっている。この他端側磁石１４ｂに隣接する端部側から３番目に配置された他端側磁石１４ｃは、さらに２番目の他端側磁石１４ｂと逆に、Ｎ極（Ｎ）が左向き、Ｓ極（Ｓ）が右向きとなっている。さらにまた、この他端側磁石１４ｃに隣接する端部側から４番目に配置された他端側磁石１４ｄは、さらに３番目の他端側磁石１４ｃと逆に、Ｎ極（Ｎ）が右向き、Ｓ極（Ｓ）が左向きとなっている。この後に続く中間側磁石１５についても、上記同様に、Ｎ極（Ｎ）とＳ極（Ｓ）とが互い違いの向きに配置されている。
【００４９】
したがって、装身具２４の一端側３６と他端側３７との重合部では４個の一端側磁石１３（１３ａ，１３ｂ，１３ｃ，１３ｄ）のＮ極（Ｎ）とＳ極（Ｓ）と、４個の他端側磁石１４（１４ａ，１４ｂ，１４ｃ，１４ｄ）Ｓ極（Ｓ）とＮ極（Ｎ）とが、それぞれ対向する配置となっているため相互に磁気吸着する。そして、各磁石は金属磁石であるため強力に磁気吸着し、容易に引き剥がされることがない。
【００５０】
また、装身具本体１１のチューブ１２は上述したように、長手方向に沿う両端部間において軸心周りに相対的に１８０°以上、容易に捩ることができるため、装着者の首に巻き付けた直後にＮ極（Ｎ）同士、またはＳ極（Ｓ）同士が対向する状態であったとしても、各磁石の吸磁力によって自然にＮ極（Ｎ）とＳ極（Ｓ）とが向き合う図１０の状態となる。このため、装着者が人為的に装身具本体１１を回転操作する必要がなく、首周りに容易に装着することができる。
【００５１】
図１１は、本実施形態に用いる止め具４１の一例を示す斜視図である。止め具４１は金属または樹脂等を素材として型成形または曲げ加工したもので、側面視ほぼＳ字形に形成されている。すなわち、この止め具４１の中央部４２はほぼ直線状であり、一端部４３が上述の装身具２４の外径よりも少し大きい内径で円形状に湾曲されている。この止め具４１の直線状の中央部４２と一端部４３の先端との間には装身具２４の外径よりも小さい隙間が形成されている。これにより、止め具４１の湾曲した一端部４３内の円形状空間部分は、装身具２４の先端を通すことができる一方の通し部４５となる。
【００５２】
また、止め具４１の他端部４４は一端部４３と逆の向きに円形状に湾曲され、この湾曲部分の内径も上述の装身具２４の外径より少し大きい内径とされている。この止め具４１の直線状の中央部４２と他端部４３の先端との間にも、装身具２４の外径よりも小さい隙間が形成されている。これにより、止め具４１の湾曲した他端部４４内の円形状空間部分は装身具２４の先端を通すことができる他方の通し部４６となる。
【００５３】
図１２は、図１１に示した止め具４１を用いた装着の一例を示す説明図である。上述した図７の装着、すなわち装身具２４を装着者３３の首３４周りに装着し、装身具２４の一端側３６と他端側３７とを首３４の後方で重合させて磁力により係止する装着に対し、止め具４１を用いることにより装身具２４を首周りにさらに確実に止めることができるようにするものである。
【００５４】
図１２に示すように、装着者は装身具２４の一端側３６と他端側３７とを把持して、装身具２４を首の前側下方から上方に持上げ、装身具２４の両端を肩の上方を介して首の後方に回し込む。そして、装身具２４の一端側３６を左向き矢印で示すように、Ｓ字形をした止め具４１の一方の通し部４５に通す。また、装身具２４の他端側３６を右向き矢印で示すように、Ｓ字形をした止め具４１の他方の通し部４６に通す。
【００５５】
図１３は、図１２に続いて止め具４１を用いた装着状態を示す拡大図である。Ｓ字形をした止め具４１の一方の通し部４５に通した装身具２４の一端側３６は、止め具４１の直線状の中央部４２と一端部４３の先端とによって周囲から保持される。したがって、装身具２４の一端側３６は側方に外れることがない。また、Ｓ字形をした止め具４１の他方の通し部４６に通した装身具２４の他端側３７は、止め具４１の直線状の中央部４２と他端部４４の先端とによって周囲から保持される。したがって、装身具２４の他端側３７も側方に外れることがない。
【００５６】
このように、Ｓ字形の止め具４１を用いて止められた装身具２４は、磁石による吸磁力で吸着状態となっているのに加え、止め具４１の保持力によって周方向への離脱がさらに確実に防止される。したがって、不意の脱落等による紛失のおそれがなく、また装着者の外部からの引き剥がし等によっては外れることがないため盗難防止等も確実に防止することができる。なお、装着者が身体から装身具２４を外す場合には、装身具２４を止め具４１の通し部４５，４６から装身具２４の一端側３６または他端側３６を軸方向に引抜くだけで簡単に装身具２４を外すことができる。
【００５７】
図１４は、図１１に示した止め具４１を用いた装着を示す説明図である。この装着は、上述した図９の装着方法、すなわち装身具２４を装着者３３の首３４の後方から前向き下方に垂下するようにして装着し、装身具２４の一端側３６と他端側３７とを首３４の前方で縦状態にして左右方向から重合させて磁力により係止する装着に対し、止め具４１を用いることにより装身具２４を首周りにさらに確実に止めることができるようにするものである。
【００５８】
図１４に示すように、装着者は装身具２４の一端側３６と他端側３７とを把持して、装身具２４を首の後方から両側に巻回し、装身具２４の両端を肩の上方を介して首の前方に回し込む。そして、装身具２４の一端側３６を下向き矢印で示すように、横向きにしたＳ字形の止め具４１の一方の通し部４５に通す。また、装身具２４の他端側３７を下向き矢印で示すように、横向きにしたＳ字形の止め具４１の他方の通し部４６に通す。
【００５９】
図１５は、図１４に続いて止め具４１を用いた装着状態を示す拡大図である。横向きにしたＳ字形の止め具４１の一方の通し部４５に上方から通した装身具２４の一端側３６は、止め具４１の直線状の中央部４２と一端部４３の先端とによって周囲から保持される。したがって、装身具２４の一端側３６は側方に外れることがない。また、横向きにしたＳ字形の止め具４１の他方の通し部４６に上方から通した装身具２４の他端側３７は、止め具４１の直線状の中央部４２と他端部４４の先端とによって周囲から保持される。したがって、装身具２４の他端側３７も側方に外れることがない。
【００６０】
この例においても、Ｓ字形の止め具４１を用いて止められた装身具２４は、磁石による吸磁力で吸着状態となっているのに加え、止め具４１の保持力によって周方向への離脱がさらに確実に防止される。したがって、不意の脱落等による紛失のおそれがなく、また装着者の外部からの引き剥がし等によっては外れることがないため盗難防止等も確実に防止することができる。なお、装着者が身体から装身具２４を外す場合には、装身具２４を止め具４１の通し部４５，４６から装身具２４の一端側３６または他端側３７を上方向に引抜くだけで簡単に装身具２４を外すことができる。
【００６１】
図１６は、本実施形態による装身具２４の止め具の他の例を示す斜視図である。図１６に示すように、この止め具５１は金属または樹脂等を素材として型成形したもので、側面視ほぼ眼鏡形に形成されている。すなわち、この止め具５１の枠体５２は「８」の字状であり、一端側枠部５３が上述の装身具２４の外径よりも少し大きい内径で円形状をなしている。これにより、止め具５１の一端側枠部５３内の円形状空間部分は、装身具２４の先端を通すことができる一方の通し部５５となっている。
【００６２】
止め具５１の他端側枠部５４には一端側枠部５３と同様の円形状の空間部が形成され、この空間部の内径も上述の装身具２４の外径より少し大きい内径とされている。これにより、止め具５１の湾曲した他端側枠部５４内の円形状空間部分は装身具２４の先端を通すことができる他方の通し部５６となっている。
【００６３】
図１７は、図１６に示した止め具５１を用いた装着を示す説明図である。この装着は、上述した図７の装着に対し、止め具５１を用いることにより装身具２４を首周りにさらに確実に止めることができるようにするものである。図１７に示すように、装着者は装身具２４の一端側３６と他端側３７とを把持して、装身具２４を首の前側下方から上方に持上げ、装身具２４の両端を肩の上方を介して首の後方に回し込む。そして、装身具２４の一端側３６を左向き矢印で示すように、眼鏡形をした止め具５１の一方の通し部５５に通す。また、装身具２４の他端側３６を右向き矢印で示すように、眼鏡形をした止め具５１の他方の通し部５６に通す。
【００６４】
図１８は、図１７に続いて止め具５１を用いた装着状態を示す拡大図である。眼鏡形をした止め具５１の一方の通し部５５に通した装身具２４の一端側３６は、眼鏡形をした止め具５１の一端側枠部５３の通し部５５によって周囲から保持される。したがって、装身具２４の一端側３６は側方に外れることがない。また、眼鏡形をした止め具５１の他方の通し部５６に通した装身具２４の他端側３７は、止め具５１の枠体５２の他方の通し部５６によって周囲から保持される。したがって、装身具２４の他端側３７も側方に外れることがない。
【００６５】
このように、眼鏡形の止め具５１を用いて止められた装身具２４は、磁石による吸磁力で吸着状態なっているのに加え、眼鏡形をした止め具５１の保持力によって、図１１に示した止め具４１よりもさらに確実に、周方向への離脱が防止される。したがって、不意の脱落等による紛失のおそれがなく、また装着者の外部からの引き剥がし等によっては外れることがないため盗難防止等も一層確実に防止することができる。なお、装着者が身体から装身具２４を外す場合には、装身具２４を止め具５１の通し部５５，５６から装身具２４の一端側３６または他端側３７を軸方向に引抜くだけで簡単に装身具２４を外すことができる。
【００６６】
図１９は、図１６に示した眼鏡形の止め具５１を用いた装着を示す説明図である。この装着過程は、上述した図９の装着に対し、眼鏡形の止め具５１を用いることにより装身具２４を首周りにさらに確実に止めることができるようにするものである。
【００６７】
図１９に示すように、装着者は装身具２４の一端側３６と他端側３７とを把持して、装身具２４を首の後方から両側に巻回し、装身具２４の両端を肩の上方を介して首の前方に回し込む。そして、装身具２４の一端側３６を下向き矢印で示すように、横向きにした眼鏡形の止め具５１の一方の通し部５５に通す。また、装身具２４の他端側３６を下向き矢印で示すように、横向きにした眼鏡形の止め具５１の他方の通し部５６に通す。
【００６８】
図２０は、図１９に続いて眼鏡形の止め具５１を用いた装着を示す拡大図である。横向きにした眼鏡形の止め具５１の一方の通し部５５に上方から通した装身具２４の一端側３６は、眼鏡形をした止め具５１の一方の通し部５５によって周囲から保持される。したがって、装身具２４の一端側３６は側方に外れることがない。また、横向きにした眼鏡形の止め具５１の他方の通し部５６に上方から通した装身具２４の他端側３７は、止め具５１の他方の通し部５６によって周囲から保持される。したがって、装身具２４の他端側３７も側方に外れることがない。
【００６９】
この例においても、眼鏡形の止め具５１を用いて止められた装身具２４は、磁石による吸磁力で吸着状態となっているのに加え、眼鏡形の止め具５１の保持力によって周方向への離脱が一層確実に防止される。したがって、不意の脱落等による紛失のおそれがなく、また装着者の外部からの引き剥がし等によっては外れることがないため盗難防止等も確実に防止することができる。なお、装着者が身体から装身具２４を外す場合には、装身具２４を止め具５１の通し部５５，５６から装身具２４の一端側３６または他端側３６を上方向に引抜くだけで簡単に装身具２４を外すことができる。
【００７０】
なお、本実施形態では、外皮２５をチューブ１２と別体の独立した構成にしたが、外皮２５はチューブ１２の表面部分そのものを加工したり、チューブ１２の表面部分に埋設したり、接着する等によって一体構造とすることができる。
【００７１】
また、複数の磁石１３、１４、１５はチューブ１２の内部で回転可能とすることができる。これは磁石１３、１４、１５の外径に対し、チューブ１２の内径を幾分大きくすることにより可能となる。このように磁石１３、１４、１５がチューブ１２の内部で回転可能となっている構造では、チューブ１２の両端部を重ね合わせたときに対向した磁石がＮ極とＮ極の同極となっていても、同極間で作用する斥力によって磁石が回転する。このように回転することにより、対向している磁石が異極同士となって吸磁力が作用する。これにより装身具本体１１がリング状となるため、身体への装着が可能となる。
【００７２】
［第２実施形態］
図２１は、本考案の第２実施形態による装身具の装身具本体の部品構成を示す分解斜視図である。装身具本体１１は、両端が開口する１本の紐状のチューブ１２と、チューブ１２内に挿入される複数個の磁石６３‥と、チューブ１２内に磁石６３‥と交互に挿入される複数個のスペーサ６５‥と、チューブ１２の一端側開口部６８を塞ぐ一端側キャップ１６と、チューブ１２の他端側開口部１９を塞ぐ他端側キャップ１７とにより構成されている。
【００７３】
磁石６３‥は、径および長さが同一の円柱状に構成されており、チューブ１２内の長さ方向の全体に亘って挿入される。磁石６３が‥チューブ１２内に挿入される場合には、チューブ１２の円管の中心部と一端側磁石６３‥の中心部とが一致する状態となる。また、各一端側磁石６３‥はチューブ１２の長さ方向に沿い、軸方向端部がそれぞれ向き合う直列配置で挿入される。磁石６３‥は強力な吸磁力（例えば２０００ガウス）を有する金属磁石、例えばフェライト磁石が用いられる。これらの磁石６３‥は、チューブ１２を使用者の首周りに巻き付けた状態において、チューブ１２の一端側開口部６８と他端側開口部６９とが重合または交差する部分で相互に吸引力を発生するものとなる。
【００７４】
なお、チューブ１２の中間部分であって、磁石６３‥が使用者の首周りに専ら配置され、チューブ１２の止め手段として機能しない部分である場合には、必ずしも強力な吸磁力を必要としない。
【００７５】
スペーサ６５‥は、例えば磁石６３‥と１個ずつ交互にチューブ１２に挿入され、これらのスペーサ６５‥も、磁石６３‥と同様に、径および長さが同一の円柱状のものであり、チューブ１２内の長さ方向に沿い、軸方向端部がそれぞれ向き合う直列配置で挿入される。
【００７６】
スペーサ６５‥には、磁性材料および非磁性材料等の種々の材料を適用することができる。例えば、スペーサ６５‥の材質としては、鉄、ステンレス鋼等その他の鉄系金属を適用することができる。この場合には磁石６３‥の長さ方向での磁力線の通りがよくなる。また、スペーサ６５‥の材質としては、鉄系金属以外の非鉄金属、例えばチタン等を適用することもできる。さらにスペーサ６５‥には、金、銀等の貴金属を適用することができる。これらの貴金属を適用した場合には、豪華性、重量感等を得ることができる。また、例えばヘマタイト等の貴石類を適用することもできる。貴石類を適用した場合には、使用感を高くすることができる。
【００７７】
図２２は、図２１に示した部品を装身具本体６１として組立てた状態を示す全体断面図である。図２２に示すように、チューブ１２の一端側開口部１８内には複数個の一端側の磁石６３‥とスペーサ６５‥とが、１個ずつ交互に直列配置で挿入されるとともに、チューブ１２の他端側開口部１９内にも複数個の他端側の磁石６３‥とスペーサ６５‥とが、１個ずつ交互に直列配置で挿入されている。また、チューブ１２内における磁石６３‥とスペーサ６５‥とが挿入された一端側開口部１８と他端側開口部１９以外の部分、すなわち中間部分にも、複数個の中間側の磁石６３‥とスペーサ６５‥とが、１個ずつ交互に直列配置で挿入されている。このように、磁石６３‥とスペーサ６５‥とがチューブ１２の長さ方向全範囲に亘って１個ずつ交互に直列配置されている。ただし、磁石６３‥とスペーサ６５‥とは必ずしも１個ずつ交互に直列配置する必要はなく、例えば磁石６３‥を２個、スペーサ６５‥を１個ずつ交互に配置したり、その他の任意数ごとに配列することもできる。
【００７８】
なお、一端側の磁石６３‥，他端側の磁石６３‥および中間側の磁石６３‥の軸方向端面が相互に密接状態で挿入されると、これらの端面が傾くスペース的余裕がなく、ひいてはチューブ１２を湾曲させることができない。そこで、各一端側の磁石６３‥相互間、各他端側の磁石６３‥相互間およびこれらと中間側の磁石６３‥との間、ならびに中間側の磁石６３‥相互間にはそれぞれ所定の隙間が確保され、これにより一端側の磁石６３‥，他端側の磁石６３‥および中間側の磁石６３‥が互いに傾くことができ、ひいてはチューブ１２を湾曲させることができるようになっている。
【００７９】
チューブ１２の一端側開口部１８と他端側開口部１９とは、一端側キャップ１６と他端側キャップ１７とによってそれぞれ塞がれ、接着またはネジ構造等により固定されている。これにより、チューブ１２の一端側キャップ１６および他端側キャップ１７から一端側の磁石６３‥および他端側の磁石６３‥等が脱落することが防止されている。
【００８０】
本実施形態によれば、スペーサ６５‥を磁石６３‥と交互にチューブ１２に挿入する構成とすることにより、種々の機能を得ることができる。すなわち、上述のように、スペーサ６５‥に鉄、ステンレス鋼等その他の鉄系金属を適用した場合には、磁石６３‥の長さ方向での磁力線の通りのよいものとすることができる。また、スペーサ６５‥の材質として鉄系金属以外の非鉄金属、例えばチタン等を適用した場合には高級感を得ることができる。さらにスペーサ６５‥に金、銀等の貴金属を適用した場合には、豪華性、重量感等を得ることができる。さらに、例えばヘマタイト等の貴石類を適用した場合には、使用感を高くすることができる。
【００８１】
この実施形態においても、磁石６３をチューブ１２の内部で回転可能とすることができる。このように磁石６３がチューブ１２の内部で回転可能となっている構造では、チューブ１２の両端部を重ね合わせたときに対向した磁石がＮ極とＮ極の同極となっていても、同極間で作用する斥力によって磁石が回転する。このように回転することにより、対向している磁石が異極同士となって吸磁力が作用する。これにより装身具本体１１がリング状となるため、身体への装着が可能となる。この場合、スペーサ６５をチューブ１２内で回転可能とすることも可能である。
【００８２】
［第３実施形態］
図２３は、本考案の第３実施形態による装身具の装身具本体の部品構成を示す分解斜視図である。本実施形態の装身具本体１１は、両端が開口する１本の紐状のチューブ１２と、このチューブ１２内の一端側および他端側に挿入される複数個の磁石６３‥と、チューブ１２内の端部以外の中間部分に挿入される複数個のスペーサ６５‥と、チューブ１２の一端側開口部１８を塞ぐ一端側キャップ１６と、チューブ１２の他端側開口部１９を塞ぐ他端側キャップ１７とにより構成されている。
【００８３】
磁石６３‥は、径および長さが同一の円柱状に構成されており、チューブ１２内の長さ方向の一端側と、他端側とに所定数隣接して配置されるものとされている。これらの磁石６３が‥チューブ１２内に挿入される場合には、チューブ１２の円管の中心部と磁石６３‥の中心部とが一致する状態となる。また、磁石６３‥はチューブ１２の長さ方向に沿い、軸方向端部がそれぞれ向き合う直列配置で挿入される。
【００８４】
スペーサ６５‥は、チューブ１２内における磁石６３‥が配置された部分以外、すなわち一端側と他端側とを除く中間部分に配置されるようになっている。これらのスペーサ６５‥も、磁石６３‥と同様に、径および長さが同一の円柱状のものであり、チューブ１２内の長さ方向に沿い、軸方向端部がそれぞれ向き合う直列配置で挿入される。スペーサ６５‥には、第２実施形態と同様の磁性材料および非磁性材料等の種々の材料を適用することができる。従って、スペーサ６５‥の材質としては、鉄、ステンレス鋼等その他の鉄系金属、チタン等の非鉄金属、金、銀等の貴金属、さらにヘマタイト等の貴石類を適用することもできる。
【００８５】
図２４は、図２１に示した部品を装身具本体８１として組立てた状態を示す全体断面図である。図２４に示すように、チューブ１２の一端側開口部１８内には複数個の一端側の磁石６３‥が直列配置で挿入されるとともに、チューブ１２の他端側開口部１９内にも複数個の磁石６３‥が直列配置で挿入されている。また、チューブ１２内における磁石６３が挿入された一端側開口部１８と他端側開口部１９以外の部分、すなわち中間部分には、複数個のスペーサ６５‥が直列配置で挿入されている。
【００８６】
なお、一端側の磁石６３‥，他端側の磁石６３‥および中間側のスペーサ６５‥の軸方向端面が相互に密接状態で挿入されると、これらの端面が傾くスペース的余裕がなく、ひいてはチューブ１２を湾曲させることができない。そこで、各一端側の磁石６３‥相互間、各他端側の磁石６３‥相互間およびこれらと中間側のスペーサ６５‥との間、ならびに中間側のスペーサ６５‥相互間にはそれぞれ所定の隙間が確保され、これにより一端側の磁石６３‥，他端側の磁石６３‥および中間側のスペーサ６５‥が互いに傾くことができ、ひいてはチューブ１２を湾曲させることができるようになっている。
【００８７】
本実施形態によれば、チューブ１２の一端側および他端側にそれぞれ所定数の磁石６３‥を配置したので、チューブ１２の各端部同士を相互に磁気吸着することができる。
【００８８】
本実施形態においても、磁石６３をチューブ１２の内部で回転可能とすることができる。このように磁石６３がチューブ１２の内部で回転可能となっている構造では、チューブ１２の両端部を重ね合わせたときに対向した磁石がＮ極とＮ極の同極となっていても、同極間で作用する斥力によって磁石が回転する。このように回転することにより、対向している磁石が異極同士となって吸磁力が作用する。これにより装身具本体１１がリング状となるため、身体への装着が可能となる。なお、磁石６３に加えてスペーサ６５もチューブ１１２内で回転可能とすることも可能である。
【００８９】
［第４実施形態］
図２５は、本発明の第４実施形態による装身具の装身具本体の部品構成を示す分解斜視図である。本実施形態の装身具本体１１は、両端が開口する１本の紐状のチューブ１２と、このチューブ１２内の一端側および他端側に挿入される複数個の磁石６３‥と、これらの磁石６３間に交互に配置されるスペーサ６５‥と、チューブ１２内の端部以外の中間部分に挿入される複数個のスペーサ６５‥と、チューブ１２の一端側開口部１８を塞ぐ一端側キャップ１６と、チューブ１２の他端側開口部１９を塞ぐ他端側キャップ１７とにより構成されている。
【００９０】
磁石６３‥は、径および長さが同一の円柱状に構成されており、チューブ１２内の長さ方向の一端側と、他端側とに所定数配置されるものとされている。これらの各磁石６３‥の相互間には、スペーサ６５‥が１個ずつ交互に配置されている。これらの各磁石６３‥およびスペーサ６５‥がチューブ１２内に挿入される場合には、チューブ１２の円管の中心部と磁石６３‥およびスペーサ６５‥の中心部とが一致する状態となる。また、磁石６３‥およびスペーサ６５‥はチューブ１２の長さ方向に沿い、軸方向端部がそれぞれ向き合う直列配置で挿入される。
【００９１】
各磁石６３‥は強力な吸磁力（例えば２０００ガウス）を有する金属磁石、例えばフェライト磁石が用いられる。そして、これらの磁石６３‥は、チューブ１２を使用者の首周りに巻き付けた状態において、チューブ１２の一端側開口部１８と他端側開口部１９とが重合または交差する部分で相互に吸引力を発生するものとなる。スペーサ６５‥は、チューブ１２内における磁石６３‥が配置された部分以外、すなわち一端側と他端側とを除く中間部分にも配置される。これらのスペーサ６５‥も、磁石６３‥と同様に、径および長さが同一の円柱状のものであり、チューブ１２内の長さ方向に沿い、軸方向端部がそれぞれ向き合う直列配置で挿入される。
【００９２】
図２６は、図２５に示した部品を装身具本体１０１として組立てた状態を示す全体断面図である。チューブ１２の一端側開口部１８内には複数個の一端側の磁石６３‥とスペーサ６５‥とが１個ずつ交互に直列配置で挿入されるとともに、チューブ１２の他端側開口部１９内にも複数個の磁石６３‥とスペーサ６５‥とが１個ずつ交互に直列配置で挿入されている。また、チューブ１２内における磁石６３‥とスペーサ６５‥とが挿入された一端側開口部１８と他端側開口部１９以外の部分、すなわち中間部分には、複数個のスペーサ６５‥が直列配置で挿入されている。
【００９３】
本実施形態によれば、チューブ１２の一端側および他端側にそれぞれ所定数の磁石６３‥とスペーサ６５‥とを交互に配置したので、チューブ１２の各端部同士を相互に磁気接着することができるとともに、スペーサ６５‥による種々の機能を得ることができる。
【００９４】
本実施形態においても、磁石６３をチューブ１２の内部で回転可能とすることができる。このように磁石６３がチューブ１２の内部で回転可能となっている構造では、チューブ１２の両端部を重ね合わせたときに対向した磁石がＮ極とＮ極の同極となっていても、同極間で作用する斥力によって磁石が回転する。このように回転することにより、対向している磁石が異極同士となって吸磁力が作用する。これにより装身具本体１１がリング状となるため、身体への装着が可能となる。なお、磁石６３に加えてスペーサ６５もチューブ１１２内で回転可能とすることも可能である。
【００９５】
［第５実施形態］
図２７は、本考案の第５実施形態による装身具を示す拡大断面図である。の図２７に示すように、本実施形態の装身具本体１１では、チューブ１２の一端側１８と他端側１９との重合部において、チューブ１２内に複数の磁石６３ａ、６３ｂが配置されている。
【００９６】
チューブ１２の一端側１８内には、一定の吸磁力を有する複数の磁石６３ｂと、これらの磁石６３ｂよりも吸磁力が強い１つの磁石６３ａとが直列に配置されている。具体的には、チューブ１２の一端側外キャップ１６から３個目までは一定の吸磁力を有する磁石６３ｂが配置され、一端側外キャップ１６から４個目に吸磁力が強い１つの磁石６３ａが配置されている。一端側外キャップ１６から５個目等には一定の吸磁力を有する磁石６３ｂが配置されている。このように、複数個の磁石６３ｂ中に吸磁力が強い１つの磁石６３ａが挟まれた配置でチューブ１２内に設けられている。
【００９７】
また、チューブ１２の他端側１９内においても、一定の吸磁力を有する複数の磁石６３ｂと、これらの磁石６３ｂよりも吸磁力が強い１つの磁石６３ａが直列に配置されている。具体的には、チューブ１２の他端側外キャップ１７から１個目は一定の吸磁力を有する磁石６３ｂが配置され、他端側外キャップ１７から２個目に吸磁力が強い１つの磁石６３ａが配置されている。他端側外キャップ１７から３個目等には一定の吸磁力を有する磁石６４ｂが配置されている。このように、複数個の磁石６４ｂ中に吸磁力が強い１つの磁石６３ａが挟まれた配置でチューブ１２内に設けられている。ただし、図示の構成は一例であり、吸磁力が強い磁石１１３の数、配置等については種々変更することができる。また、吸磁力を数段階に分けてもよい。
【００９８】
このような構成によると、必要に応じて装身具本体１１の特定個所を強い吸磁力で接着固定することができ、目的および用途等に応じて任意の接着強度の装身具とすることができる。
【００９９】
図２８は、上記各実施形態で適用する磁石の構成を示す拡大斜視図である。図２８に示す磁石７４は円柱状に構成されており、Ｎ極（Ｎ）とＳ極（Ｓ）とは円柱の互いに反対側の外周面に配置されている。
【０１００】
図２９は、図２８に示した磁石７４を複数個直列に配置した場合の配列状態を示す説明図である。複数の円柱状の磁石７４、すなわち第１の磁石７４ａ，第２の磁石７４ｂ，第３の磁石７４ｃおよび第４の磁石７４ｄが、軸方向端面を互いに対向する配置で水平方向に１列で直列配置されている。第１の磁石７４ａではＮ極（Ｎ）が下向き、Ｓ極（Ｓ）が上向きとなっている。この第１の磁石７４ａに隣接する第２の磁石７４ｂのＮ極（Ｎ）は上向き、Ｓ極（Ｓ）は下向きとなっている。この第２の磁石７４ｂに隣接する第３の磁石７４ｃでは、第２の磁石７４ｃと逆にＮ極（Ｎ）が下向き、Ｓ極（Ｓ）が上向きとなっている。この第３の磁石７４ｃに隣接する第４の磁石７４ｄは、第３磁石７４ｃと逆に、Ｎ極（Ｎ）が上向き、Ｓ極（Ｓ）が下向きとなっている。
【０１０１】
図３０は、図２９に示した配列の磁石７４ａ〜７４ｄをチューブ１２の一端側に挿入するとともに、他端側にも同様の配列で磁石７４ｅ〜７４ｈを挿入した装身具の吸着前の状態を示す説明図である。チューブ１２の一端側とを上側に配置し、チューブの他端側を下側に配置して、磁石７４ａ〜７４ｄと磁石７４ｅ〜７４ｈとを周面が向き合うようにして接近した場合、磁石７４ａ〜７４ｄのＮ極（Ｎ）およびＳ極（Ｓ）と、磁石７４ｅ〜７４ｈのＮ極（Ｎ）およびＳ極（Ｓ）とは、それぞれ異なる磁極同士が向きあって吸磁力が発揮される。これにより、上述した各実施形態で説明した作用が行われて両端が接着する。
【０１０２】
これに対し、一本のチューブ内に上記同様の磁石を挿入してリング状に湾曲させた場合、必ずしも図３０に示したようなチューブ両端の磁石の異極同士が直接向き合う状態になるとは限らない。図３１は、このようにチューブ両端の磁石の異極同士が直接向き合う状態にならず、同極が対向する状態になった場合を示している。
【０１０３】
すなわち、図３１に示すように、例えばチューブ１２を湾曲させてリング状にし、両端を重合状態とした場合、チューブ１２の一端側に上記同様の配列で挿入した磁石７４ｉ，７４ｊ，７４ｋ，７４ｌのＮ極（Ｎ）およびＳ極（Ｓ）と、チューブ１２の他端側に上記同様の配列で挿入した磁石７４ｍ，７４ｎ，７４ｏ，７４ｐのＮ極（Ｎ）およびＳ極（Ｓ）とが、それぞれ同極同士対向する状態となる場合がある。
【０１０４】
このような場合でも、上述した各実施形態の構成においては、磁石を金属磁石とするとともに、チューブが柔軟性のある合成樹脂またはゴム質等の柔軟性材料により円管状に構成し、この構成により、チューブが長手方向に沿う両端部間において軸心周りに相対的に１８０°以上、容易に捩ることができるので、チューブ１２の一端側の磁石７４ｉ，７４ｊ，７４ｋ，７４ｌのＮ極（Ｎ）およびＳ極（Ｓ）と、チューブ１２の他端側の磁石７４ｍ，７４ｎ，７４ｏ，７４ｐのＮ極（Ｎ）およびＳ極（Ｓ）とが異極同士引き合い、図３１に回転矢印で示したようにチューブ１２が回転する。この結果、図３０に示したように各磁石の異極同士が対向して、チューブ１２の両端側同士が強力に接着され、確実にリング状になることができる。
【０１０５】
［第６実施形態］
図７０は本考案の第６実施形態の装身具７００を示す正面図である。この装身具７００は、芯線７２０がリング状の無端形状に形成されており、この芯線７２０が複数の飾り部材７１０を挿通することにより連珠状となっている。飾り部材７１０は審美性を有する材料、形状、外観、状態等を備えており、例えば球状のパール等からなる宝玉が使用される。
【０１０６】
複数の飾り部材７１０を挿通する芯線７２０は形状記憶合金が用いられる。芯線７２０の線径（太さ）は、飾り部材７１０の大きさに合わせて変更されるものであり、例えば０．３〜２．０ｍｍの範囲で選定される。芯線７２０に用いる形状記憶合金としては、Ｎｉ−Ｔｉ系合金、Ｃｕ−Ｚｎ−Ａｌ系合金、Ｃｕ−Ｚｎ−Ｓｉ系合金、その他の合金が選択される。形状記憶合金からなる芯線７２０は装着者の体温（約３５℃）を変態点の目安として超弾性を発揮するものが用いられる。本実施形態においては、芯線７２０は３０℃の温度以上となることによりリング状に復元するように熱処理が施されている。すなわち、３０℃未満の環境下においては、芯線７２０は超弾性を発揮することがなく、外力に合わせて任意の形にランダムに変形しているが、３０℃以上になると、芯線７２０は丸いリング状に復元し、この形状を維持する。これにより装身具７００の全体が図７０に示すようなループした無端リング状となり、装着者の首等の身体部位への装着状態となる。
【０１０７】
このような本実施形態では、３０℃を超えることによりループしたリング状となる芯線７２０を飾り部材７１０に挿通しているため、装着者の身体に装着し、装着者の体温が伝達されて３０℃を超えると装身具７００の全体が自動的にループしたリング状となる。このため、ループしたリング状に簡単且つ確実に止めることができ、盗難等に対する安全性を高めるとともに、使用者への装着性が良く、しかも使用者自身による装着および取外し性が良好となる。さらに止め具がなくても一定の温度環境下では、装着者の身体部位への装着態様となるため、止め具への面倒な操作が不要となると共に、使用者への装着性が向上する。
【０１０８】
以上の実施形態に対し、本考案の装身具はさらに止め具を備えるものであり、以下、止め具の各例を具体的に説明する。
【０１０９】
［止め具の第１例］
図３２は、本考案の装身具２４に用いることができる第１例の止め具５４０を示す。止め具５４０は鰐口クリップ状をなすもので、一対の挟み片５４１および挟み片５４２をヒンジ軸５４３によって開閉可能に連結している。一方の挟み片５４１は一定幅の湾曲片となっており、この一方の挟み片５４１は装身具２４（装身具本体１１も同様）の一端側の外周面の略半分を外側から押えて止めるための半円弧板状の一端側止め部５３９と、装身具２４の他端側の略半分を外側から押えて止めるための半円弧板状の他端側止め部５４４とが隣接する一体の湾曲板となっている。一端側止め部５３９の外側端部の一側部には、板幅方向に沿う貫通孔が形成されたヒンジ筒５４６が一体に設けられ、一端側止め部５３９の外側端部の他側部には、板幅方向に沿う貫通孔が形成された別のヒンジ筒５４７がヒンジ筒５４６と一定の間隔をあけて同軸上に連設されている。一端側止め部５３９の凹面側と他端側止め部５４４の凹面側との間には、平坦面状の中間閉じ部５４８が形成されている。他端側止め部５４４の外側端部には、平板状の開閉側端部５４５が一体に形成されている。この開閉側端部５４５にはピン軸５５０が突設されており、ピン軸５５０の先端には大径頭部５５１が形成されている。
【０１１０】
他方の挟み片５４２は一方の挟み片５４１とほぼ同様の形状をなしており、一定幅の湾曲片として構成されている。この他方の挟み片５４２は装身具２４の一端側の外周面の略半分を外側から押えて止めるための半円弧板状の一端側止め部５５２と、装身具２４の他端側の略半分を外側から押えて止めるための半円弧板状の他端側止め部５５３とが隣接する一体の湾曲板となっている。一端側止め部５５２の外側端部の一側部には、板幅方向に沿う貫通孔が形成されたヒンジ筒５５５が一体に設けられ、このヒンジ筒５５５は、一方の挟み片５４１のヒンジ筒５４６とヒンジ筒５４７との間に同軸で配置されている。これらのヒンジ筒５４６、ヒンジ筒５５５およびヒンジ筒５４７には、１本のヒンジ軸５４６が通され、このヒンジ軸５４６を中心として、一方の挟み片５４１と他方の挟み片５４２とが回動できるようになっている。
【０１１１】
他方の挟み片５４２においても一方の挟み片５４１と同様に、一端側止め部５５２の凹面側と他端側止め部５５３の凹面側との間に、平坦面状の中間閉じ部５５６が形成されている。他端側止め部５５３の外側端部には、平板状の開閉側端部５５４が一体に形成されている。この開閉側端部５５４にはピン軸５５０と係合できるピン受け５５７が突設されている。このピン受け５５７は、互いに対向する円弧状の一方のピン軸保持片５５８と他方のピン軸保持片５５９とを有し、これら一方のピン軸保持片５５８と他方のピン軸保持片５５９との先端部間には開口部５６０が形成されている。これら一方のピン軸保持片５５８と他方のピン軸保持片５５９とは弾性を有し、ヒンジ軸５４３を中心として一方の挟み片５４１と他方の挟み片５４２とを閉じるように回動させた場合にピン軸５５０の先端の大径頭部５５１が挿通されて嵌合でき、この挟み片５４１、５４２とピン軸５５０との嵌合により、一定以上の引き離し力が与えられない限り、両挟み片５４１、５４２が嵌着状態に維持できるようになっている。
【０１１２】
図３３は、装身具２４を止め具５４０によって止める場合の使用状態を示す説明図である。この図３３に示すように、装身具２４をＵ字状に湾曲させ、止め具５４０に対して装身具２４の一端側と他端側とを互いに接近させる。なお、装身具２４の一端側の先端には外キャップ２７があり、他端側の先端には外キャップ２６がある。装身具２４の一端側および外キャップは、止め具５４０の挟み片５４１の凹面側に通される。また、装身具２４の他端側および外キャップ２６は、止め具５４０の他端側止め部５４４の凹面側に通される。そして、ヒンジ軸５４３を中心として、開閉部５５４側を開閉側端部５４５向けて回動し、止めピン５４９にピン受け５５７を嵌合させる。
【０１１３】
図３４は、装身具の止め状態を拡大して示す説明図である。装身具２４の一端側の外キャップ２７と、他端側の外キャップ２６とは、一端側と他端側とを互い違いの方向から平行に揃えた状態で接近し、重合状態となる。そして、止め具５４０はヒンジ軸５４３を中心として回動して互いに閉じ、止めピン５４９とピン受５５７とが結合し、大径頭部５５１によって係止される。装身具２４の一端側と他端側とは、一端側止め部５５２と他端側止め部５５３とによりそれぞれ保持される。
【０１１４】
図３５は、止め具５４０の使用状態を示す説明図である。装身具２４を装着者３３の首３４周りに装着し、装身具２４の一端側と他端側とを首３４の後方で重合させて磁力により係止する。
【０１１５】
まず装着者３３が一方の手（右手）で装身具２４の一端側を把持し、他方の手（左手）で装身具２４の他端側を把持する。そして、装身具２４を装着者３３の首３４の前側下方（顎下）から上方に徐々に持上げ、装身具２４の両端を肩３５の上方を介して首３４の後方に回し込む。この後、装身具２４の一端側と他端側とを重合させるようにする。
【０１１６】
すると、装身具２４の一端側と他端側とは、互いに一定距離接近した位置に移動された途端に、吸磁力によって即座に吸着状態となる。すなわち、装着者３３が首３４の後方に装身具２４の一端側と他端側とを近付けるだけで容易かつ迅速に、しかも強力な磁力により装着固定される。この状態において、図１０に示したように、止め具５４０によって装身具２４の一端側と他端側とを固定する。これにより、着脱可能な５止め具４０によって装身具２４を容易に装着固定することができ、しかも装着状態は強固となり、引き剥がし等により脱落するおそれはない。
【０１１７】
図３６は、装身具２４の一端側と他端側との首３４の後側における重合部を拡大して示す部分断面図である。装身具２４の一端側と他端側との重合部において、一端側の装身具本体１１内には、一端側外キャップ２６側から例えば４個の一端側磁石１３（１３ａ，１３ｂ，１３ｃ，１３ｄ）が直列に配置されている。これらの磁石１３（１３ａ，１３ｂ，１３ｃ，１３ｄ）は上述したように、それぞれ円柱状に構成されており、各磁石１３（１３ａ，１３ｂ，１３ｃ，１３ｄ）のＮ極（Ｎ）とＳ極（Ｓ）とは、円柱の互いに反対側の外周面に配置されている。そして、各磁石１３（１３ａ，１３ｂ，１３ｃ，１３ｄ）の互いに隣接するもの同士のＮ極（Ｎ）とＳ極（Ｓ）とが、互い違いの向きに配置されている。具体的には、装身具２４の一端側外キャップ２６側に最も接近した端部側配置の一端側磁石１３ａの、Ｎ極（Ｎ）が下向き、Ｓ極（Ｓ）が上向きとなっている。この一端側磁石１３ａに隣接する端部側から２番目に配置された一端側磁石１３ｂのＮ極（Ｎ）は上向き、Ｓ極（Ｓ）は下向きとなっている。また、この一端側磁石１３ｂに隣接する端部側から３番目の一端側磁石１３ｃは、さらに２番目の一端側磁石１３ｂと逆にＮ極（Ｎ）が下向き、Ｓ極（Ｓ）が上向きとなっている。この一端側磁石１３ｃに隣接する端部側から４番目に配置された一端側磁石１３ｄは、３番目の一端側磁石１３ｃと逆に、Ｎ極（Ｎ）が上向き、Ｓ極（Ｓ）が下向きとなっている。この後に続く中間側磁石１５も上記同様に、Ｎ極（Ｎ）とＳ極（Ｓ）とが互い違いの向きに配置されている。
【０１１８】
一方、装身具２４の一端側と他端側との重合部において、他端側の装身具本体１１内には、他端側外キャップ２７側から例えば４個の他端側磁石１４（１４ａ，１４ｂ，１４ｃ，１４ｄ）が直列に配置されている。これらの磁石１４（１４ａ，１４ｂ，１４ｃ，１４ｄ）も上述したように、それぞれ円柱状に構成されており、各磁石１４（１４ａ，１４ｂ，１４ｃ，１４ｄ）のＮ極（Ｎ）とＳ極（Ｓ）とは、円柱の互いに反対側の外周面に配置されている。そして、各磁石１４（１４ａ，１４ｂ，１４ｃ，１４ｄ）の互いに隣接するもの同士はＮ極（Ｎ）とＳ極（Ｓ）とが互い違いの向きに配置されている。
【０１１９】
具体的には、装身具２４の他端側外キャップ２７側に最も接近して配置された端部側配置の他端側磁石１４ａのＮ極（Ｎ）が上向き、Ｓ極（Ｓ）が下向きとなっている。この他端側磁石１４ａに隣接する端部側から２番目に配置された他端側磁石１４ｂは前記と逆に、Ｎ極（Ｎ）が下向き、Ｓ極（Ｓ）が上向きとなっている。また、この他端側磁石１４ｂに隣接する端部側から３番目に配置された他端側磁石１４ｃは、さらに２番目の他端側磁石１４ｂと逆に、Ｎ極（Ｎ）が上向き、Ｓ極（Ｓ）が下向きとなっている。さらにまた、この他端側磁石１４ｃに隣接する端部側から４番目に配置された他端側磁石１４ｄは、さらに３番目の他端側磁石１４ｃと逆に、Ｎ極（Ｎ）が下向き、Ｓ極（Ｓ）が上向きとなっている。この後に続く中間側磁石１５についても、上記同様に、Ｎ極（Ｎ）とＳ極（Ｓ）とが互い違いの向きに配置されている。
【０１２０】
したがって、装身具２４の一端側と他端側との重合部では４個の一端側磁石１３（１３ａ，１３ｂ，１３ｃ，１３ｄ）のＮ極（Ｎ）とＳ極（Ｓ）と、４個の他端側磁石１４（１４ａ，１４ｂ，１４ｃ，１４ｄ）Ｓ極（Ｓ）とＮ極（Ｎ）とが、それぞれ対向する配置とされているため相互に磁気吸着するようになる。そして、各磁石は金属磁石であるため強力に磁気吸着し、容易に引き剥がされることがない。
【０１２１】
また、装身具本体１１のチューブ１２は上述したように、長手方向に沿う両端部間において軸心周りに相対的に１８０°以上、容易に捩ることができる構成となっているので、装着者の首に巻き付けた直後にＮ極（Ｎ）同士、またはＳ極（Ｓ）同士が対向する状態であったとしても、各磁石の吸磁力によって自然にＮ極（Ｎ）とＳ極（Ｓ）とが向き合う状態となる。このため、装着者が人為的に装身具２４を回転操作する必要がなく、首周りに容易に装着することができる。
【０１２２】
［止め具の第２例］
図３７は、第２例の止め具５７０である。第２例の止め具５７０は金属または樹脂等を素材として型成形または曲げ加工したもので、側面視ほぼＳ字形に形成されている。すなわち、この止め具５７０の中央部５７１はほぼ直線状であり、一端部５７２が装身具２４の外径よりも少し大きい内径で円形状に湾曲されている。この止め具５７０の直線状の中央部５７１と一端部５７２の先端との間には装身具２４の外径よりも小さい隙間が形成されている。これにより、止め具５７０の湾曲した一端部５７２内の円形状空間部分は、装身具２４の先端を通すことができる一方の通し部５７５とされている。
【０１２３】
止め具５７０の他端部５７３は一端部５７２と逆の向きに円形状に湾曲され、この湾曲部分の内径も上述の装身具２４の外径より少し大きい内径となっている。この止め具５７０の直線状の中央部５７１と他端部５４３の先端との間にも、装身具２４の外径よりも小さい隙間が形成されている。これにより、止め具５７０の湾曲した他端部５７３内の円形状空間部分は装身具２４の先端を通すことができる他方の通し部５４６とされている。
【０１２４】
さらに、止め具５７０の一端側５７２には磁石５７６が設けられ、この磁石５７６の磁力により装身具２４の一端側を吸着できるようになっている。また、止め具５７０の他端側にも磁石５７７が設けられ、この磁石５７７の磁力により装身具２４の他端側を吸着できるようになっている。
【０１２５】
この止め具５７０では、装身具２４を装着者３３の首３４周りに装着し、装身具２４の一端側と他端側とを首３４の後方で重合させて磁力により係止することにより装身具２４を首周りにさらに確実に止めることができる。
【０１２６】
すなわち、装着者は装身具２４の一端側と他端側とを把持して、装身具２４を首の前側下方から上方に持上げ、装身具２４の両端を肩の上方を介して首の後方に回し込む。そして、装身具２４の一端側をＳ字形をした止め具５７０の一方の通し部５７４に通す。また、装身具２４の他端側を右向き矢印で示すように、Ｓ字形をした止め具５７０の他方の通し部５７５に通す。このようにＳ字形をした一方の通し部５７５に通した装身具２４の一端側は、止め具５７０の直線状の中央部５７１と一端部５７２の先端とによって周囲から保持される。したがって、装身具２４の一端側は側方に外れることがない。また、Ｓ字形をした止め具５７０の他方の通し部５７５に通した装身具２４の他端側は、止め具５７０の直線状の中央部５７１と他端部５７３の先端とによって周囲から保持される。したがって、装身具２４の他端側も側方に外れることがない。
【０１２７】
このようにＳ字形の止め具５７０を用いて止められた装身具２４は、磁石による吸磁力で吸着状態とされたうえ、止め具５７０の保持力によって周方向への離脱がさらに確実に防止される。したがって、不意の脱落等による紛失のおそれがなく、また装着者の外部からの引き剥がし等によっては外れることがないため盗難防止等も確実に防止することができる。なお、装着者が身体から装身具２４を外す場合には、装身具２４を止め具５７０の通し部５７４、５７５から装身具２４の一端側または他端側を軸方向に引抜くだけで簡単に装身具２４を外すことができる。
【０１２８】
［止め具の第３例］
図３８は、第３例の止め具８１を示す斜視図である。第３例の止め具８１は金属または樹脂等を素材として型成形したもので、全体的に側面視ほぼ眼鏡形（「８」の字状）に形成されている。すなわち、この止め具８１は、円筒状の一端部８３と他端部８４とを胴部８２を介して一体に連結され、眼鏡形の外枠を構成している。
【０１２９】
円筒状の一端部８３の内部には、装身具２４の一端側および外キャップ２６を通す一方の空間（通し部）８５が形成されており、この一方の空間８５の径は装身具２４の一端側および外キャップ２６よりも大径となっている。これにより、円筒状の一端部８３の内部には、装身具２４の一端側を自由に挿入したり引抜きすることができる。また、円筒状の他端部８４の空間８６も一端部８３とほぼ同径となっている。
【０１３０】
そして、止め具８１の円筒状の一端部８３の内部には、内部リング９１が挿入されている。この内部リング９１は円筒状の一端部８３の内部で装身具２４同士が重なる方向に沿って移動可能とされており、円筒状の一端部８３に設けたネジ孔９３内に挿入した押しネジ９２により、装身具同士が重なる方向に押動されて移動できるようになっている。また、円筒状の他端部８４の空間８６の内部にも、内部リング９４が挿入されている。この内部リング９４も円筒状の他端部８４の内部で装身具同士が重なる方向に移動可能とされており、円筒状の他端部８４に設けたネジ孔９６内に挿入した押しネジ９５により押動されて装身具同士が重なる方向に移動できるようになっている。これらの内部リング９１、９４の間には圧縮コイルバネ９７が介在されており、この圧縮コイルバネ９により通常時には内部リング９１、９４が互いに相反する方向に弾性により離間するようになっている。
【０１３１】
内部リング９１、９４の内面９８，９９は装身具本体２４の一端側６１および外キャップ２６等の押え面となっている。そして、これら内部リング９１、９４の内面９８，９９の径も装身具２４の一端側、他端側および外キャップ２６、２７より大径となっている。これにより、内部リング９１、９４の内部においても、装身具２４の一端側を自由に挿入したり引抜きすることができる。
【０１３２】
図３９は、図３８に示した止め具８１の軸直角断面図である。内部リング９１と内部リング９４は圧縮コイルバネ９７の弾性力によって互いに外向き（図３９の上下方向）に付勢され、装身具２４の一端側と他端側は内部リング９１と内部リング９４によって内側から外向きに押圧される。これらの押圧される装身具２４の一端側と他端側の外周側の面は、それぞれ止め具本体８１の円筒状の一端部８３と他端部８４の内周面に圧接する。したがって、装身具２４の一端側と他端側は止め具８１内に固定される。
【０１３３】
固定を解く場合には、押しネジ９２と押しネジ９５を互いに向き合う方向に押し込む操作を行うことによって、装身具２４の一端側と他端側を円筒状の一端部８３と他端部８４の内面への当接力を弱め、装身具２４の一端側と他端側への圧接力を解除すればよい。これにより、装身具本体の一端側と他端側を止め具８１に挿入したり離脱することができる。
【０１３４】
このように、眼鏡形の止め具８１を用いて止められた装身具２４は、内部の磁石による吸磁力で吸着状態とされたうえ、眼鏡形をした止め具８１の保持力によって、確実に周方向への離脱が防止される。したがって、不意の脱落等による紛失のおそれがなく、また装着者の外部からの引き剥がし等によっては外れることがないため盗難防止等も一層確実に防止することができる。なお、装着者が身体から装身具２４を外す場合には、押しネジ９２，９５を緩めて装身具２４を止め具８１の内面から装身具２４の一端側または他端側を軸方向に引抜くだけで、簡単に装身具２４を外すことができる。
【０１３５】
［止め具の第４例］
図４０は第４例の止め具１０１を示す斜視図である。止め具１０１は金属または樹脂等を素材として型成形したもので、２つの湾曲部をもつ湾曲板状の止め具本体１０２と、これに組み合う数珠状紐体１０３とにより構成されている。
【０１３６】
止め具本体１０２は、２つの円弧板状の湾曲片１０２ａ，１０４が中間閉じ部１０２ｂによって一体に繋がった形状をしており、止め具本体１０２の一端部１０５には円環状の外側止めリング１０７が設けられている。また、止め具本体１０２の他端部１０６にも円環状の外側止めリング１０８が設けられている。さらに、湾曲片１０２ａ，１０４の中間閉じ部１０２ｂには、一定の間隔で、内側止めリング１１７，１１８が設けられている。外側止めリング１０７、１０８および内側止めリング１１７，１１８の内径はほぼ同一径となっている。
【０１３７】
数珠状紐体１０３は、一端側において可撓性の紐１０９の一端側に一定間隔で玉１１０を装着するとともに、他端側において可撓性の紐１１２の一端側に一定間隔で玉１１３を装着した構造となっている。玉１１０、１１３は例えば弾性を有する材料によって構成されており、外側止めリング１０７、１０８および内側止めリング１１７，１１８の内径とほぼ同一の外径を有し、一定以上の力で引張った場合に外側止めリング１０７、１０８および内側止めリング１１７，１１８を通過でき、一体以下の力では外側止めリング１０７、１０８および内側止めリング１１７，１１８から抜けない構成となっている。また、数珠状紐体１０３の一端には、外側止めリング１０７および内側止めリング１１７の内径よりも大径な端板１１１が設けられ、他端側にも、外側止めリング１０８および内側止めリング１１８の内径よりも大径な端板１１４が設けられている。そして、紐１０９、１１２の中間部分が外側止めリング１０７、１０８および内側止めリング１１７，１１８に通され、紐１０９、１１２の先端部の各端板１１１，１１４がそれぞれ外側止めリング１０７、１０８の外側に配置されている。これにより、数珠状紐体１０３は止め具本体１０２から外れないようになっている。
【０１３８】
このような構造において、装身具２４に止め具１０１を装着する場合には、数珠状紐体１０３のうち、外側止めリング１０７と内側止めリング１１７との間および外側止めリング１０８と内側止めリング１１８との間の部分を装身具２４の外径よりも大きく開口するように湾曲させておく。
【０１３９】
そして、外側止めリング１０７と内側止めリング１１７との間の開口部分に装身具の一端側および他端側外キャップ２６を通すとともに、外側止めリング１０８と内側止めリング１１８との間の開口部分に装身具の他端側および他端側外キャップ２７を通す。その後、数珠状紐体１０３を両端側に所定の力で引張り、装身具の一端側および他端側を外周側から押えるようにする。
【０１４０】
逆に止め具本体１０２から装身具の一端側および他端側を取外す場合には、数珠状紐体１０３のうち、外側止めリング１０７と内側止めリング１１７との間および外側止めリング１０８と内側止めリング１１８との間の部分を装身具２４の外径よりも大きく開口するように再び湾曲させ、装身具本体の一端側および他端側を引出せばよい。
【０１４１】
このような構成によれば、数珠状紐体１０３を操作するだけで、装身具２４の一端側および他端側を止め具本体１０２に装着したり、取外すことが容易に行える。止め具１０１を用いて止められた装身具２４は、内部の磁石による吸磁力で吸着状態とされたうえ、眼鏡形をした止め具１０１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
【０１４２】
［止め具の第５例］
図４１は、第５例の止め具１２１を示す斜視図である。止め具１２１は金属または樹脂等を素材として型成形したもので、側面視ほぼ眼鏡形（「８」の字状）に形成されている。この止め具１２１は、胴部１２２を介して互いに平行に連結された筒状の一端部１２３と筒状の他端部１２４とを有している。筒状の一端部１２３内には、装身具２４の一端側を着脱可能に挿通できるとともに、筒状の他端部１２４内には、装身具２４の他端側を着脱可能に挿通できるようになっている。
【０１４３】
筒状の一端部１２３の内部には一方の空間（通し部）１２５が形成されており、この一方の空間１２５の径は装身具２４の一端側および一端側外キャップ２６よりも大径となっている。これにより、筒状の一端部１２３の内部には、装身具２４の一端側を自由に挿入したり引抜きすることができる。一方、筒状の他端部１２４の他方の空間１２６は、筒状の一端部１２３の一方の空間１２５とほぼ等径となっており、他方の空間１２６の径は装身具２４の他端側の外径とほぼ一致している。筒状の他端部１２４内には装身具２４の他端側および他端側外キャップ２７が着脱可能に挿通できる。すなわち、筒状の他端部１２４の他方の空間１２６内に装身具２４の一端側および外キャップ２７が挿通でき、筒状の一端部１２３の一方の空間１２５には、装身具２４の他端側外キャップ２６が挿入および引抜き可能な状態で着脱可能に挿通できるようになっている。そして、筒状の一端部１２３の内部には、バネ部材１３１が収納され、また筒状の他端部１２４の内部にも同様にバネ部材１４１が収納されている。
【０１４４】
図４１は、図４０の止め具１２１の軸直角断面図である。筒状の一端部１２３の径と筒状の他端部１２４の径とは互いにほぼ等しい。この止め具１２１の筒状の一端部１２３における内周面には、上述のバネ部材１３１が収納されている。このバネ部材１３１は、平板部１３２に山形のバネ板１３３を設けた構成となっている。また筒状の他端部１２４における内周面にも、上述のバネ部材１４１が収納されている。このバネ部材１４１は、平板部１４２に谷形のバネ板１４３を設けた構成となっている。
【０１４５】
このような構成のバネ部材１３１により、装身具２４の一端側を筒状の一端部１２３の内部に挿入させた場合に、バネ板１３３の弾性力によって装身具２４の一端側を任意の長さだけ筒状の一端部１２３の内部に押圧保持することができる。また、筒状の他端部１２４に装身具２４の他端側を挿入させた場合に、バネ板１４３の弾性力によって装身具２４の他端側を任意の長さだけ筒状の他端部１２４の内部に押圧保持することができる。
【０１４６】
このような構造では、何らの特別な操作を必要とせず、装身具２４を止め具１２１内に着脱可能に挿入するだけで、装身具２４の一端側および他端側を止め具１２１に装着したり、取外すことが容易に行える。また、止め具１２１を用いて止められた装身具２４は、内部の磁石による吸磁力で接着状態とされたうえ、眼鏡形をした止め具１２１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
【０１４７】
［止め具の第６例］
図４３は、第６例の止め具１５１示す斜視図である。止め具１５１は金属または樹脂等を素材として型成形したもので、止め具本体１５０が側面視ほぼ眼鏡形（「８」の字状）に形成されている。止め具本体１５０は、胴部１５２を介して互いに平行に連結された筒状の一端部１５３と筒状の他端部１５４とを有している。筒状の一端部１５３内には、装身具２４の一端側を着脱可能に挿通できるとともに、筒状の他端部１５４内には、装身具２４の他端側を着脱可能に挿通できるようになっている。
【０１４８】
筒状の一端部１５３の内部には一方の空間（通し部）１５５が形成されており、この一方の空間１５５の径は装身具２４の一端側および一端側外キャップ２６よりも大径となっている。これにより、筒状の一端部１５３の内部には、装身具２４の一端側を自由に挿入したり引抜きすることができる。また、筒状の他端部１５４の他方の空間１５６は、筒状の一端部１５３の一方の空間１５５と略同径となっており、この他方の空間１５６の径は装身具２４の一端側の外径とほぼ一致している。
【０１４９】
そして、筒状の他端部１５４内には装身具２４の一端側および外キャップ２７が着脱可能に挿通させることができる。すなわち、止め具１５１では、筒状の他端部１５４の他方の空間１５６内に装身具２４の一端側および外キャップ２７が挿通でき、筒状の一端部１５３の一方の空間１５５には、装身具２４の一端側外キャップ２６が挿入および引抜き可能な状態で着脱可能に挿通できるようになっている。そして、筒状の一端部１５３の側壁にはネジ孔１５７があけられ、筒状の他端部１５４の側壁にもネジ孔１５８が平行にあけられている。
【０１５０】
この構成において、筒状の一端部１５３のネジ孔１５７には締付けネジ１７１が側方からねじ込まれている。すなわち、締付けネジ１７１は大径な頭部１７２とその中心から突出するネジ部１７３を有し、頭部１７２を人手によって回転操作することにより、ねじ込んだり、引抜くことができる。また、筒状の他端部１５４のネジ孔１５８にも締付けネジ１８１が側方からねじ込まれている。すなわち、締付けネジ１８１は大径な頭部１８２とその中心から突出するネジ部１８３を有し、頭部１８２を人手によって回転操作することにより、ねじ込んだり、引抜くことができる。
【０１５１】
図４４は、図４３に示した止め具１５１の軸直角断面図である。止め具１５１における筒状の一端部１５３の径と筒状の他端部１５４の径とは互いにほぼ等しい。この止め具１５１の筒状の一端部１５３における内周面側には、上述の締付けネジ１７１のネジ部１７３が突入している。この締付けネジ１７１のネジ部１７３の先端には幅広な押し板１７４が設けられている。この押し板１７４は装身具本体２４を押付けて止め具本体１５０の内面に圧接させることができる。また、この止め具１５１の筒状の他端部１５４における内周面側には、上述の他方の締付けネジ１８１のネジ部１８３が突入している。この締付けネジ１７１のネジ部１８３先端にも幅広な押し板１８４が設けられている。この押し板１８４は装身具本体２４を押付けて止め具本体１５０の内面に圧接させることができる。
【０１５２】
このような構造によれば、装身具２４を止め具１５１内に着脱可能に挿入し、締付けネジ１７１、１８１を回転操作するだけで、装身具２４の一端側および他端側を止め具１５１に装着したり、取外すことが容易に行える。また、止め具１５１を用いて止められた装身具２４は、内部の磁石による吸磁力で吸着状態とされたうえ、眼鏡形をした止め具１５１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
【０１５３】
［止め具の第７例］
図４５は、第７例の止め具１９１を示す斜視図である。止め具１９１は金属または樹脂等を素材として型成形したもので、両側開口のほぼ矩形筒状に形成されている。この止め具１９１の止め具本体１９０は、図２０において、上片１９２，側片（左側片）１９３，下片１９４および側片（右側片）１９５を有している。止め具１９１の内部は空間（通し部）１９６とされており、この空間（通し部）１９６には、装身具２４の一端側および他端側を着脱可能に横並びで挿通できるようになっている。
【０１５４】
そして、止め具本体１９０の互いに対向する側片（左側片）１９３と側片（右側片）１９５には、所定角度傾斜した傾斜孔１９７，１９８が開けられている。そして、傾斜孔１９７と傾斜孔１９８には、１本の止めピン２０１が挿通されている。この止めピン２０１は、傾斜孔１９７と傾斜孔１９８に挿通される長さの軸部２０２を有し、この軸部２０２の各先端は、それぞれ側片（左側片）１９３と側片（右側片）１９５の外側に突出している。この軸部２０２の各端の突出部分に大径な頭部２０３と頭部２０４が一体に設けられている。傾斜孔１９７と傾斜孔１９８は対象形状の長孔であり、この孔の高さ，長さおよび傾斜角はすべて同一となっている。
【０１５５】
図４６は、図４５に示した止め具１９１の軸直角断面図である。傾斜孔１９７と傾斜孔１９８の低い方の端部の高さは装身具２４の一端側および他端側の頂部よりも低い位置に形成されている。また、傾斜孔１９７と傾斜孔１９８の高い方の端部の高さは装身具２４の一端側および他端側の頂部よりも低い位置に形成されている。したがって、使用時には図４６に示すように装身具２４の一端側を傾斜孔１９７と傾斜孔１９８の低い方から高い方（図４６の左方）に向って挿入すると頭部２０３が押上げられてスムーズに挿入できる。一方、逆に装身具２４の一端側を傾斜孔１９７と傾斜孔１９８の高い方から低い方（図４６の右方）に向って引張ると、頭部２０３が摩擦力で低い方に連動するため、頭部２０３が装身具２４の一端側を下方に押圧するようになり、装身具２４の抜けを防止することができる。
【０１５６】
このような構造では、装身具２４を止め具１９１内に着脱可能に挿入するだけで、装身具２４の一端側および他端側を止め具１９１に装着したり、取外すことが容易に行える。また、止め具１９１を用いて止められた装身具２４は、内部の磁石による吸磁力で吸着状態とされたうえ、止め具１９１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
【０１５７】
［止め具の第８例］
図４７は、第８例の止め具２１１を示す斜視図である。止め具２１１は鰐口クリップ状をなすもので、一対の挟み片である止め具本体２１２および閉じ板２２１をヒンジ軸２２８によって開閉可能に連結している。
【０１５８】
止め具本体２１２は一定幅の湾曲片として構成されており、この止め具本体２１２は装身具２４の一端側の外周面の略半分を外側から押えて止めるための半円弧板状の湾曲片２１３と、装身具２４の他端側の略半分を外側から押えて止めるための半円弧板状の湾曲片２１４とが隣接する一体の湾曲板となっている。湾曲片２１３の外側端部の一側部には、板幅方向に沿う貫通孔が形成されたヒンジ筒２１６が一体に設けられ、湾曲片２１３の外側端部の他側部には、板幅方向に沿う貫通孔が形成された別のヒンジ筒２１７がヒンジ筒２１３と一定の間隔をあけて同軸上に連設されている。
【０１５９】
湾曲片２１３の凹面側と湾曲片２１４の凹面側との間には、平坦面状の中間閉じ部２１８が形成されている。湾曲片２１２の一端部２１５は保持部として深い曲げが形成されている。
【０１６０】
閉じ板２２１は、平坦な板状をなしており、止め具本体２１１とほぼ同一幅を有している。この閉じ板２２１は装身具２４の一端側の外周面の略半分を外側から押えて止めるため一端側に半円弧板状の係止爪２２３を有するとともに、他端側にはヒンジ筒２２４が設けられている。このヒンジ筒２２４は、止め具本体２１２のヒンジ筒２１６とヒンジ筒２１７との間に同軸で配置されている。これらのヒンジ筒２１６、ヒンジ筒２１７およびヒンジ筒２２４には、１本のヒンジ軸２２８が通され、このヒンジ軸２２８を中心として、止め具本体２１２と閉じ板２２１とが回動できるようになっている。
【０１６１】
図４８は、止め具２１１の使用状態を示す側面図である。閉じ板２２１を止め具本体２１２に対してヒンジ軸２２８を中心として回動させ、止め具本体２１２を閉じた状態とすると、閉じ板２２１の係止爪２２３が湾曲片２１２の一端部２１５に弾性的に嵌合する。これにより、装身具２４の一端側部および及び他端側を押圧保持することができる。
【０１６２】
この構造によれば、装身具２４を止め具２１１内に着脱可能に挿入するだけで、装身具２４の一端側および他端側を止め具２１１に装着したり、取外すことが容易に行える。また、止め具２１１を用いて止められた装身具２４は、内部の磁石による吸磁力で吸着状態とされたうえ、止め具２１１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
【０１６３】
［止め具の第９例］
図４９は、第９例の止め具２３１を示す斜視図である。止め具２３１は金属または樹脂等を素材として型成形したもので、両側開口のほぼ矩形筒状に形成されている。この止め具２３１の止め具本体２３０は、上片２３２，側片（左側片）２３３，下片２３４および側片（右側片）２３５を有している。止め具２３１の内部は空間（通し部）２３６とされており、この空間（通し部）２３６には、装身具２４の一端側および他端側を着脱可能に横並びで挿通できるようになっている。
【０１６４】
この構造において、上片２３２にあけたネジ孔２３７に締付けネジ２４１上側方からねじ込まれている。すなわち、締付けネジ２４１は大径な頭部２４４とその中心から突出するネジ部２４３を有し、頭部２４４を人手によって回転操作することにより、ねじ込んだり、引抜くことができる。
【０１６５】
図５０は、図４９に示した止め具２３１の軸直角断面図である。締付けネジ２４１のネジ部２４３の先端には幅広な押し板２４５が設けられている。この押し板２４５は装身具本体２４を押付けて止め具本体２３０の内面に圧接させることができる。
【０１６６】
このような構造によれば、装身具２４を止め具２３１内に着脱可能に挿入し、締付けネジ２４１を回転操作するだけで、装身具２４の一端側および他端側を止め具２３１に装着したり、取外すことが容易に行える。また、止め具２３１を用いて止められた装身具２４は、内部の磁石による吸磁力で吸着状態とされたうえ、眼鏡形をした止め具２３１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
【０１６７】
［止め具の第１０例］
図５１は、第１０例の止め具２５１を示す斜視図である。止め具２５１は金属または樹脂等を素材として型成形したもので、側面視ほぼ眼鏡形（「８」の字状）に形成された止め具本体２５０を有している。この止め具本体２５０は、装身具２４の一端側を着脱可能に挿通する筒状の一端部２５３と、装身具２４の他端側を着脱可能に挿通する筒状の他端部２５４とを、胴部２５２を介して互いに連結することにより、一体構成の眼鏡形の枠体を形成している。  筒状の一端部２５３の内部には一方の空間（通し部）２５５が形成されており、この一方の空間２５５の径は装身具２４の一端側および外キャップ２６を挿通できる径となっている。これにより、筒状の一端部２５３の内部には、装身具の一端側を自由に挿入したり引抜きすることができる。一方、筒状の他端部２５４の他方の空間２５６の径も装身具２４の他端側および外キャップ２７を挿通できる径となっている。これにより、筒状の一端部２５３の内部には、装身具の他端側を自由に挿入したり引抜きすることができる。
【０１６８】
この止め具２５１では、筒状の他端部２５４の他方の空間２５６内に装身具２４の一端側および外キャップ２６が挿通可能とされており、同様に、筒状の一端部２５３の一方の空間２５５には、装身具２４の他端側および外キャップ２７が挿入および引抜き可能な状態で挿通できるようになっている。そして、筒状の一端部２５３の内部には、周方向に等間隔で３個のボール、すなわちボール２６１，２６２，２６３が収納されている。また、筒状の他端部２５４の内部にも、周方向に等間隔で３個のボール、すなわちボール２６４，２６５，２６６が収納されている。
【０１６９】
図５２は、図５１に示した止め具２５１の軸直角断面図である。筒状の一端部２５３の径と筒状の他端部２５４の径とはほぼ等しい。止め具２５１の筒状の一端部２５３内周面には、周方向に等間隔でポール２６１、２６２、２６３が配置されている。ボール２６１は筒状の一端部２５３の穴内に収容され、バネ（圧縮コイルバネ）２６１によって筒状の一端部２５３の内周側に弾性をもって押圧されている。なお、筒状の一端部２５３内における穴の内側端部の径はボール２６１の径よりも小さくなっており、これによりボール４５１は筒状の一端部２５３の内方に脱落することはない。穴は筒状の一端部２５３の外周側で閉塞されており、この閉塞空間にバネ（圧縮コイルバネ）２５７が収納されてボール２６１を筒状の一端部２５３の内方に常時押圧するようになっている。
【０１７０】
同様に、ボール２６２は筒状の一端部２５３の穴内に収容され、バネ（圧縮コイルバネ）２５８によって筒状の一端部２５３の内周側に弾性をもって押圧されている。なお、筒状の一端部２５３内における穴の内側端部の径はボール２６２の径よりも小さくなっており、これによりボール２６２は筒状の一端部２５３の内方に脱落することはない。穴は筒状の一端部２５３の外周側で閉塞されており、この閉塞空間にバネ（圧縮コイルバネ）２５８が収納されてボール２６２を筒状の一端部２５３の内方に常時押圧するようになっている。
【０１７１】
また、ボール２６３は筒状の一端部２５３の穴内に収容され、バネ（圧縮コイルバネ）２５９によって筒状の一端部２５３の内周側に弾性をもって押圧されている。なお、筒状の一端部２５３内における穴の内側端部の径はボール２６３の径よりも小さくなっており、これによりボール２６３は筒状の一端部２５３の内方に脱落することはない。穴は筒状の一端部２５３の外周側で閉塞されており、この閉塞空間にバネ（圧縮コイルバネ）２５９が収納されてボール２６３を筒状の一端部２５３の内方に常時押圧するようになっている。
【０１７２】
さらに、ボール２６４は筒状の他端部２５４の穴内に収容され、バネ（圧縮コイルバネ）２６７によって筒状の他端部２５４の内周側に弾性をもって押圧されている。なお、筒状の他端部２５４内における穴の内側端部の径はボール２６４の径よりも小さくなっており、これによりボール２６４は筒状の他端部２５４の内方に脱落することはない。穴は筒状の他端部２５４の外周側で閉塞されており、この閉塞空間にバネ（圧縮コイルバネ）２６７が収納されてボール２６４を筒状の他端部２５４の内方に常時押圧するようになっている。
【０１７３】
また、ボール２６５は筒状の他端部２５４の穴内に収容され、バネ（圧縮コイルバネ）２６８によって筒状の他端部２５４の内周側に弾性をもって押圧されている。なお、筒状の他端部２５４内における穴の内側端部の径はボール２６５の径よりも小さくなっており、これによりボール２６５は筒状の他端部２５４の内方に脱落することはない。穴は筒状の他端部２５４の外周側で閉塞されており、この閉塞空間にバネ（圧縮コイルバネ）２６８が収納されてボール２６５を筒状の他端部２５４の内方に常時押圧するようになっている。
【０１７４】
さらにまた、ボール２６６は筒状の他端部２５４の穴内に収容され、バネ（圧縮コイルバネ）２６９によって筒状の他端部２５４の内周側に弾性をもって押圧されている。なお、筒状の他端部２５４内における穴の内側端部の径はボール２６６の径よりも小さくなっており、これによりボール２６６は筒状の他端部２５４の内方に脱落することはない。穴は筒状の他端部２５４の外周側で閉塞されており、この閉塞空間にバネ（圧縮コイルバネ）２６９が収納されてボール２６６を筒状の他端部２５４の内方に常時押圧するようになっている。
【０１７５】
このようなボール２６１，２６２，２６３により、装身具２４の一端側を筒状の一端部２５３の内部に挿入させた場合に、バネ（圧縮コイルバネ）２５７，２５８，２５９の弾性力によって装身具２４の一端側を任意の長さだけ筒状の一端部２５３の内部に挿通させることができる。同様に、ボール２６４，２６５，２６６により、装身具２４の他端側を筒状の他端部２５４の内部に挿入させた場合に、バネ（圧縮コイルバネ）２６７，２６８，２６９の弾性力によって装身具２４の他端側を任意の長さだけ筒状の他端部２５４の内部に挿通させることができる。
【０１７６】
このような構造においては、柔軟性材料により構成されて捩りおよび湾曲ができる紐状のチューブ内に複数の円柱形の金属製磁石を挿入し、これらの磁石のＮ極とＳ極とを円柱の外周面に交互に配置した装身具と、この装身具の一端側および他端側に固定され当該装身具の一端側と他端側とを平行に揃えた状態で着脱できる止め具とを備えた構成となっている。
【０１７７】
このような構造では、装身具２４の一端側および他端側を止め具２５１に着脱自在に装着することができる。しかも、止め具２５１を用いて止められた装身具２４は、内部の磁石による吸磁力で吸着状態とされたうえ、眼鏡形をした止め具２５１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
【０１７８】
［止め具の第１１例］
図５３は第１１例の止め具２７１を示す斜視図である。止め具２７１は金属または樹脂等を素材として型成形したもので、側面視ほぼＳ字状に形成された止め具本体２７０を有している。止め具本体２７０は、中央部２７２を介して互いに連結された半円筒状の装身具着脱用筒部２７３と、予め装身具２４の一端側に固定された円筒状の固定筒部２７４とにより構成されている。
【０１７９】
装身具着脱用筒部２７３の内部には一方の空間（通し部）２７５が形成されており、この一方の空間２７５の曲率半径は装身具２４の一端側および一端側外キャップ２６よりも大径となっている。これにより、装身具着脱用筒部２７３の内部には、装身具２４の一端側を自由に挿入したり引抜きすることができる。一方、固定筒部２７４の他方の空間２７６は、装身具着脱用筒部２７３の一方の空間２７５よりも小径となっており、他方の空間２７６の径は装身具２４の他端側の外径とほぼ一致している。    そして、固定筒部２７４内には装身具２４の他端側６２および外キャップ２７が予め挿通されて、固定されている。すなわち、この止め具２７１では、固定筒部２７４の他方の空間２７６内に装身具２４の一端側および外キャップ２７が挿通固定されており、装身具着脱用筒部２７３の一方の空間２７５には、装身具２４の外キャップ２６が挿入および引抜き可能な状態で挿通できるようになっている。
【０１８０】
一方、止め具２７１の上半分は鰐口クリップ状をなし、挟み片としての閉じ板２８５をヒンジ軸２８４によって開閉可能に連結している。装身具着脱用筒部２７３は一定幅の湾曲片として構成されており、装身具２４の一端側の外周面の略半分を外側から押えて止めるための半円弧板状となっている。一方，閉じ板２８５は、装身具２４の他端側の略半分を外側から押えて止めるための平板状の閉じ板本体２８６により構成されている。
【０１８１】
装身具着脱用筒部２７３の外側端部には、対向するヒンジ耳２８２，２８３が立設され、ヒンジ軸２８４が支持されている。一方、閉じ板２８５のヒンジ端２９０は、ヒンジ軸２８４に支持され、これと反対側の端部には、ピン軸保持片２８７およびピン軸保持片２８８が開口部２８９をあけて突設されている。装身具着脱用筒部２７３の先端にはピン軸２７７が突設されている。このピン軸２７７の先端には大径頭部５１が形成され、ピン軸２７７の外周にはネジ部２７９が形成されている。このネジ部２７９が、装身具着脱用筒部２７３の先端のネジ穴２８０にねじ込まれている。
【０１８２】
図５４は、止め具２７１の使用状態を示す説明図である。装身具２４を止め具２７１に通し、閉じ板本体２８６をヒンジ軸２８４を支点として回動し、ピン軸２７７にピン保持片２８７、２８８を係止させる。
【０１８３】
このような構造では、装身具２４の一端側および他端側を止め具に着脱自在に装着することができる。しかも、止め具２７１を用いて止められた装身具２４は、内部の磁石による吸磁力で吸着状態とされたうえ、止め具２７１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
【０１８４】
［止め具の第１２例］
図５５は、第１２例の止め具２９１を示す斜視図である。止め具２９１は金属または樹脂等を素材として型成形したもので、側面視ほぼＳ字状に形成されている。この止め具２９１は、中央部２９２を介して互いに連結された半円筒状の装身具着脱用筒部２７３と、予め装身具２４の一端側に固定された円筒状の固定筒部２９４とにより構成されている。
【０１８５】
装身具着脱用筒部２９３の内部には一方の空間（通し部）２９８が形成されており、この一方の空間２９３の曲率半径は装身具２４の一端側および一端側外キャップ２６よりも大径となっている。これにより、装身具着脱用筒部２９３の内部には、装身具２４の一端側を自由に挿入したり引抜きすることができる。一方、固定筒部２９４の他方の空間２９８は、装身具着脱用筒部２９３の一方の空間２９７よりも小径となっており、他方の空間２９８の径は装身具２４の一端側の外径とほぼ一致している。
【０１８６】
固定筒部２９４内には装身具２４の一端側および外キャップ２７が予め挿通されて、固定されている。この止め具２９１では、固定筒部２９４の他方の空間２９８内に装身具２４の一端側および外キャップ２７が挿通固定されており、装身具着脱用筒部２７３の一方の空間２９７には、装身具２４の外キャップ２６が挿入および引抜き可能な状態で挿通できるようになっている。一方、止め具２９１のＳ字状の上半分には磁石保持孔２９５が形成され、この磁石保持孔２９５には磁石２９６が取付けられている。
【０１８７】
図５６は、図５５の止め具２５１の軸直角断面図である。止め具２９１の上片部分に磁石２９６が設けられ、この磁石２９５の磁力により装身具２４の一端側を吸着できるようになっている。
【０１８８】
このように、Ｓ字形をした止め具２９１の一方の通し部２９７に通した装身具２４の一端側は、止め具２９１内に周囲から保持されるとともに、磁石２９６によって保持される。したがって、装身具２４の一端側は側方に外れることがない。また、装身具２４の内部磁石による吸磁力でも吸着状態とされたうえ、止め具２９１の保持力によって周方向への離脱がさらに確実に防止される。したがって、不意の脱落等による紛失のおそれがなく、また装着者の外部からの引き剥がし等によっては外れることがないため盗難防止等も確実に防止することができる。なお、装着者が身体から装身具２４を外す場合には、装身具２４を止め具２９１の通し部２９７から装身具２４の一端側を軸方向に引抜くだけで簡単に外すことができる。
【０１８９】
［止め具の第１３例］
図５７は、第１３例の止め具３０１を示す斜視図である。止め具３０１は金属または樹脂等を素材として型成形したもので、側面視ほぼ「８」の字状に形成されている。この止め具３０１の止め具本体３００は、中央部３０１ａを介して互いに連結された半円筒状の装身具着脱用筒部３０２と、予め装身具２４の一端側に固定された円筒状の固定筒部３０３とにより構成されている。
【０１９０】
装身具着脱用筒部３０２の内部には一方の空間（通し部）３０４が形成されており、この一方の空間３０４の曲率半径は装身具２４の一端側および一端側外キャップ２６よりも大径となっている。これにより、装身具着脱用筒部３０２の内部には、装身具２４の一端側６１を自由に挿入したり引抜きすることができる。一方、固定筒部３０３の他方の空間３０５は、装身具着脱用筒部３０２の一方の空間３０４よりも小径となっており、他方の空間３０５の径は装身具２４の一端側６２の外径とほぼ一致している。固定筒部３０３内には装身具２４の一端側および外キャップ２７が予め挿通されて固定されている。すなわち、この止め具３０１では、固定筒部３０３の他方の空間３０５内に装身具２４の一端側および外キャップ２７が挿通固定されており、装身具着脱用筒部３０２の一方の空間３０４には、装身具２４の外キャップ２６が挿入および引抜き可能な状態で挿通できるようになっている。一方、止め具２９１の筒状の上部にはネジ孔３０６が形成され、このネジ孔３０６には押しネジ３０７が装着されている。
【０１９１】
図５８は、止め具３０１の内部斜視図である。装身具着脱用筒部３０２内には内部リング３０８が設けられている。この内部リング３０８は、下方に配置した圧縮コイルバネ３０９により上方に付勢されるとともに、上方配置の押しネジ３０７により下方に押し下げ移動できるようになっている。すなわち、内部リング３０８は圧縮コイルバネ３０９の弾性力によって外向き（図３３の上方）に付勢され、装身具２４の一端側は内部リング３０８によって内側から外向きに押圧される。したがって、装身具２４の一端側は止め具８１内に固定される。
【０１９２】
固定を解く場合には、押しネジ３０７を下方に押し込む操作を行うことによって、装身具２４一端側への当接力を弱め、装身具２４の一端側への圧接力を解除すればよい。これにより、装身具２４の一端側を止め具３０１に挿入したり離脱することができる。
【０１９３】
このような止め具３０１では、装身具２４は内部の磁石による吸磁力で吸着状態とされたうえ、止め具５１の保持力によって、確実に周方向への離脱が防止される。したがって、不意の脱落等による紛失のおそれがなく、また装着者の外部からの引き剥がし等によっては外れることがないため盗難防止等も一層確実に防止することができる。なお、装着者が身体から装身具２４を外す場合には、押しネジ３０７を緩めて止め具３００の内面から装身具２４の一端側を軸方向に引抜くだけで、簡単に外すことができる。
【０１９４】
［止め具の第１４例］
図５９は、第１４例の止め具３２１を示す斜視図である。止め具３２１は金属または樹脂等を素材として型成形したもので、側面視ほぼ「８」の字状に形成されている。この止め具３２１の止め具本体３２０は、中央部３２２を介して互いに連結された半円筒状の装身具着脱用筒部３２３と、予め装身具２４の一端側に固定された円筒状の固定筒部３２４とにより構成されている。
【０１９５】
装身具着脱用筒部３２３の内部には一方の空間（通し部）３２５が形成されており、この一方の空間３２５の曲率半径は装身具２４の一端側および一端側外キャップ２６よりも大径となっている。これにより、装身具着脱用筒部３２３の内部には、装身具２４の一端側を自由に挿入したり引抜きすることができる。一方、固定筒部３２４の他方の空間３２６は、装身具着脱用筒部３２３の一方の空間３２５よりも小径となっており、他方の空間３２６の径は装身具２４の一端側の外径とほぼ一致している。
【０１９６】
そして、装身具着脱用筒部３２３にはネジ孔３２７が設けられ、ネジ孔３２７には締付けネジ３３１が側方からねじ込まれている。すなわち、締付けネジ３３１は大径な頭部３３２とその中心から突出するネジ部３３３を有し、頭部３３２を人手によって回転操作することにより、ねじ込んだり、引抜くことができる。
【０１９７】
図６０は、図５９に示した止め具１５１の軸直角断面図である。装身具着脱用筒部３２３の径と固定筒部３２４の径とは互いにほぼ等しい。この止め具３２１の固定筒部３２４の内周面側には、上述の締付けネジ３３１のネジ部３３３が突入している。この締付けネジ３３１のネジ部３３３の先端には幅広な押し板が設けられている。この押し板４は装身具２４を押付けて装身具着脱用筒部３２３の内面に圧接させることができる。
【０１９８】
このような構造によれば、装身具２４を止め具１５１内に着脱可能に挿入し、締付けネジ３３１を回転操作するだけで、装身具２４の一端側を止め具３２１に装着したり、取外すことが容易に行える。また、止め具３２１を用いて止められた装身具２４は、内部の磁石による吸磁力で吸着状態とされたうえ、眼鏡形をした止め具３２１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
【０１９９】
［止め具の第１５例］
図６７は、第１５例の止め具３６１を示す斜視図である。止め具３６１では、上述の装身具着脱用筒部に換えて数珠状紐体３７１が適用されている。
【０２００】
止め具本体３６０は金属または樹脂等を素材とする板状部材を上述の固定筒部として形成され、装身具２４の端部にリング状に巻きつけられている。この止め具本体３６０には止めリング３６４が取付けられ、この止めリング３６４に数珠状紐体３７１が装着されている。数珠状紐体３７１は、一端側において可撓性の紐３７３に一定間隔で玉３７２を装着した構成とされている。玉３７２は例えば弾性を有する材料によって構成されており、止めリング３６４の内径とほぼ同一の外径を有し、一定以上の力で引張った場合に止めリング３６４を通過でき、一体以下の力では止めリング３６４から抜けない構成となっている。また、数珠状紐体３７１の一端には止めリング３６４の内径よりも大径な端板３７４が設けられ、他端側は止めリング３６４に固着されている。
【０２０１】
このような構造において、装身具２４に止め具３６１を装着する場合には、数珠状紐体３７１を装身具２４の外径よりも大きく開口するように湾曲させ、止めリング３６４との間の開口部分に装身具の一端側を通し、数珠状紐体３７１で外周側から押えるようにする。    装身具２４の一端側を取外す場合には、数珠状紐体を装身具の外径よりも大きく開口するように湾曲させ、装身具の一端側を引出せばよい。
【０２０２】
このような構造では、数珠状紐体３７１を操作するだけで、装身具２４の一端側を止め具本体３６０に装着したり、取外すことが容易に行える。また、止め具３６１を用いて止められた装身具本体２４は、内部の磁石による吸磁力で吸着状態とされたうえ、眼鏡形をした止め具３６１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
【０２０３】
［止め具の第１６例］
図６２（ａ）は、第１６例の止め具３８１を示す斜視図、図６２（ｂ）は部品説明図である。まず、図６２（ａ）に示すように止め具３８１は金属または樹脂等を素材として型成形したもので、側面視ほぼ「８」の字状に形成されている。この止め具３８１の止め具本体３８０は、中央部３８３を介して互いに連結された円筒状の装身具着脱用筒部３８２と、予め装身具２４の一端側に固定された円筒状の固定筒部３８４により構成されている。
【０２０４】
装身具着脱用筒部３８２の内部には一方の空間（通し部）３８５が形成されており、この一方の空間３８５の曲率半径は装身具２４の一端側および一端側外キャップ２６よりも大径となっている。これにより、装身具着脱用筒部３８２の内部には、装身具２４の一端側を自由に挿入したり引抜きすることができる。一方、固定筒部３８４の他方の空間３５６は、装身具着脱用筒部３８２の一方の空間３８５よりも小径となっており、他方の空間３８６の径は装身具２４の一端側の外径とほぼ一致している。固定筒部３８４内には装身具２４の一端側および外キャップ２７が予め挿通されている。一方、装身具着脱用筒部３８２の内部にはバネ部材３９０が設けられている。
【０２０５】
図６２（ｂ）は、バネ部材３９０の構成を拡大して示している。バネ部材３９０は平板３９１の切り抜き加工等によりバネ板３９３を形成し、バネ板３９３を切欠孔３９２内にて板厚方向に撓むことができるようにしてある。
【０２０６】
図６３は、止め具３８１の軸直角断面図である。装身具着脱用筒部３８２の内周面には、上述のバネ部材１３１が収納されている。このようなバネ部材３９１により、装身具２４の一端側を装身具着脱用筒部３８２の内部に挿入した場合に、バネ板３９３の弾性力によって装身具２４の一端側を任意の長さだけ装身具着脱用筒部３８２の内部に押圧保持することができる。また、装身具着脱用筒部３８２に装身具２４の他端側を挿入させた場合に、バネ板３９３の弾性力によって装身具２４の他端側を任意の長さだけ装身具着脱用筒部３８２の内部に押圧保持することができる。
【０２０７】
このような構造によれば、何らの特別な操作を必要とせず、装身具２４を止め具３８１内に着脱可能に挿入するだけで、装身具２４の一端側を止め具３８１に装着したり、取外すことが容易に行える。また、止め具３８１を用いて止められた装身具２４は、内部の磁石による吸磁力で吸着状態とされたうえ、眼鏡形をした止め具３８１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
【０２０８】
［止め具の第１７例］
図６４は、第１７例の止め具４０１を示す斜視図である。止め具４０１は金属または樹脂等を素材として型成形された四角筒状の装身具着脱用筒部４００と、予め装身具本体２４の一端側６２に固定された円筒状の固定筒部４０７とにより構成されている。
【０２０９】
装身具着脱用筒部４００の内部には一方の空間（通し部）４０６が形成されており、この一方の空間４０６は装身具２４の一端側および一端側外キャップ２６よりも大径となっている。これにより、装身具着脱用筒部４００の内部には、装身具２４の一端側を自由に挿入したり引抜きすることができる。一方、固定筒部４０７の他方の空間４０８は、装身具着脱用筒部４００の一方の空間４０６よりも小径となっており、他方の空間４０８の径は装身具２４の一端側の外径とほぼ一致している。固定筒部４０７内には装身具２４の一端側および外キャップ２７が予め挿通されて、固定されている。すなわち、この止め具４０１では、固定筒部４０７の他方の空間４０８内に装身具２４の一端側および外キャップ２７が挿通固定されており、装身具着脱用筒部４００の一方の空間４０６には、装身具２４の外キャップ２６が挿入および引抜き可能な状態で挿通できるようになっている。
【０２１０】
一方、装身具着脱用筒部４００は、上片４０２，側片（左側片）４０３，下片４０４および側片（右側片）４０５を有している。装身具着脱用筒部４００の内部は空間（通し部）４０６とされており、この空間（通し部）４０６には、装身具２４の一端側を着脱可能に挿通できるようになっている。そして、装身具着脱用筒部４００の互いに対向する側片（左側片）４０３と側片（右側片）４０５には、所定角度傾斜した傾斜孔４０９，４１０が開けられている。そして、傾斜孔４０９と傾斜孔４１０には、１本の止めピン４１１が挿通されている。この止めピン４１１は、傾斜孔４０９と傾斜孔４１０に挿通される長さの軸部４１３を有し、この軸部４１３の各先端は、それぞれ側片（左側片）４０３と側片（右側片）４０５の外側に突出している。この軸部４１３の各端の突出部分に大径な頭部４１２と頭部４１４が一体に設けられている。傾斜孔４０９と傾斜孔４１０は対象形状の長孔であり、この孔の高さ，長さおよび傾斜角はすべて同一となっている。
【０２１１】
図６５は、図６４の止め具４０１の軸直角断面図である。傾斜孔４０９と傾斜孔４１０８の低い方の端部の高さは装身具２４の一端側の頂部よりも低い位置に形成されている。また、傾斜孔４０９と傾斜孔４１０の高い方の端部の高さは装身具２４の一端側の頂部よりも低い位置に形成されている。したがって、使用時には図６５に示すように装身具２４の一端側を傾斜孔４０９と傾斜孔４１０の低い方から高い方（図６５の左方）に向って挿入すると頭部４１２が押上げられてスムーズに挿入できる。一方、逆に装身具２４の一端側を傾斜孔４０９と傾斜孔４１０の高い方から低い方（図６５の右方）に向って引張ると、頭部４１２が摩擦力で低い方に連動するため、頭部４１２が装身具２４の一端側を下方に押圧するようになり、装身具２４の抜けを防止することができる。
【０２１２】
このような構造によれば、装身具２４を止め具４０１内に着脱可能に挿入するだけで、装身具２４の一端側を止め具４０１に装着したり、取外すことが容易に行える。止め具４０１を用いて止められた装身具２４は、内部の磁石による吸磁力で吸着状態とされたうえ、止め具４０１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
【０２１３】
［止め具の第１８例］
図６６は、第１８例の止め具４２１を示す斜視図である。止め具４２１は金属または樹脂等を素材として型成形したものである。この止め具４２１の止め具本体４２０は、側面視ほぼ弓形に形成された装身具本体着脱用筒部４２３と、円筒状に形成された固定筒部４２４とを胴部４２２によって連結している。
【０２１４】
装身具着脱用筒部４２３の凹面側には一方の空間（通し部）４２６が形成されており、この一方の空間４２６の湾曲径は装身具２４の一端側および一端側外キャップ２６よりも大径となっている。これにより、装身具着脱用筒部４２３の内部には、装身具２４の一端側を自由に挿入したり引抜きすることができる。一方、固定筒部４２４の空間４２５は、装身具着脱用筒部４２３の空間４２６よりも小径となっており、この空間４２５の径は装身具本体２４の一端側６２の外径とほぼ一致している。固定筒部４２４内には装身具２４の一端側および外キャップ２７が予め挿通されて固定されている。すなわち、この止め具４２１では、固定筒部４２４の空間４２５内に装身具２４の一端側および外キャップ２７が挿通固定されており、装身具着脱用筒部４２３の空間４２６には、装身具２４の外キャップ２６が挿入および引抜き可能な状態で挿通できるようになっている。そして、装身具着脱用筒部４２３の先端部４２７には、磁石４２７ａが装着されている。
【０２１５】
装身具着脱用筒部４２３の上半分は鰐口クリップ状をなし、挟み片としての閉じ板４３１をヒンジ軸４３４によって開閉可能に連結した構造となっている。装身具着脱用筒部４２３は一定幅の湾曲片として構成されており、装身具２４の一端側の外周面の略半分を外側から押えて止めるための半円弧板状となっている。一方，閉じ板４３１は、装身具２４の他端側の略半分を外側から押えて止めるための平板状の閉じ板本体４３５により構成されている。装身具着脱用筒部４２３の外側端部には、対向するヒンジ耳４２８，４２９が立設され、ヒンジ軸４２８が支持されている。一方、閉じ板４３１のヒンジ端４３４は、ヒンジ軸４３０に支持され、これと反対側の回動端部には磁石４２７ｂが設けられている。    さらに、装身具着脱用筒部４２３の先端部４２７にも磁石４２７ａが設けられている。
【０２１６】
図６７は、装身具２４を止め具４２１によって止める場合の使用状態を示す説明図である。装身具２４を止め具４２１に通し、閉じ板本体４３５をヒンジ軸４３０を支点として回動し、磁石４２７ａと磁石４２７ｂを吸着させる。
【０２１７】
このような構造では、装身具２４の一端側および他端側を止め具に着脱自在に装着することができる。しかも、止め具４２１を用いて止められた装身具２４は、内部の磁石による吸磁力で吸着状態とされたうえ、止め具４２１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
【０２１８】
［止め具の第１９例］
図６８は、第１９例の止め具４４１を示す斜視図である。止め具４４１は金属または樹脂等を素材として型成形したもので、側面視ほぼ眼鏡形（「８」の字状）に形成された止め具本体４４０を有している。この止め具本体４４０は、胴部４４２を介して互いに連結された装身具着脱用筒部４４３と、予め装身具２４の一端側に固定された円筒状の固定筒部４４４とにより、一体構成の眼鏡形の枠体を形成している。
【０２１９】
装身具着脱用筒部４４３の内部には一方の空間（通し部）４４５が形成されており、この一方の空間４４５の径は装身具２４の一端側および一端側外キャップ２６よりも大径となっている。これにより、装身具着脱用筒部４４３の内部には、装身具２４の一端側を自由に挿入したり引抜きすることができる。一方、固定筒部４４４の他方の空間４４６は、装身具着脱用筒部４４３の一方の空間４４５よりも小径となっており、他方の空間４４６の径は装身具２４の一端側の外径とほぼ一致している。固定筒部４４４内には装身具２４の一端側および外キャップ２７が予め挿通されて固定されている。すなわち、この止め具４４１では、固定筒部４４４の他方の空間４４６内に装身具２４の一端側および外キャップ２７が挿通固定されており、装身具着脱用筒部４４３の一方の空間４４５には、装身具２４の一端側外キャップ２６が挿入および引抜き可能な状態で挿通できるようになっている。装身具着脱用筒部４４３の内部には、周方向に等間隔で３個のボール、すなわちボール４５１、ポール４５２およびボール４５３が収納されている。
【０２２０】
図６９は、図６８に示した止め具４４１の軸直角断面図である。装身具着脱用筒部４４３の径は固定筒部４４４の径よりも大きい。この止め具４４１の装身具着脱用筒部４４３内周面には、周方向に等間隔でポール４５１、４５２、４５３が配置されている。ボール４５１は穴４４８内に収容され、バネ（圧縮コイルバネ）４６１によって装身具着脱用筒部４４３の内周側に弾性をもって押圧されている。なお、装身具着脱用筒部４４３内における穴４４８の内側端部の径はボール４５１の径よりも小さくなっており、これによりボール４５１は装身具着脱用筒部４４３の内方に脱落することはない。穴４４８の装身具着脱用筒部４４３外周側は閉塞されており、この閉塞空間にバネ（圧縮コイルバネ）４６１が収納されてボール４５１を装身具着脱用筒部４４３の内方に常時押圧するようになっている。
【０２２１】
同様に、ポール４５２は穴４４８内に収容され、バネ（圧縮コイルバネ）４６２によって装身具着脱用筒部４４３の内周側に弾性をもって押圧されている。なお、穴４４７の装身具着脱用筒部４４３内における端部の径もポール４５２の径より小さくなっており、これによりポール４５２は装身具着脱用筒部４４３の内方に脱落することはない。穴４４７の装身具着脱用筒部４４３外周側は閉塞されており、この閉塞空間にバネ（圧縮コイルバネ）４６２が収納されてポール４５２を装身具着脱用筒部４４３の内方に常時押圧するようになっている。
【０２２２】
さらに同様に、ボール４５３は穴４４８内に収容され、バネ（圧縮コイルバネ）４６３によって装身具着脱用筒部４４３の内周側に弾性をもって押圧されている。なお、穴４４９の装身具着脱用筒部４４３内における端部の径もボール４５３の径より小さくなっており、これによりボール４５３は装身具着脱用筒部４４３の内方に脱落することはない。穴４４９の装身具着脱用筒部４４３外周側は閉塞されており、この閉塞空間にバネ（圧縮コイルバネ）４６３が収納されてボール４５３を装身具着脱用筒部４４３の内方に常時押圧するようになっている。このようなボール４５１，４５２，４５３により、装身具２４の一端側を装身具着脱用筒部４４３の内部に挿入させた場合に、バネ（圧縮コイルバネ）４６１，４６２，４６３の弾性力によって装身具２４の一端側を任意の長さだけ装身具着脱用筒部４４３の内部に挿通させることができる。
【０２２３】
一方、装身具着脱用筒部４４３に胴部４４２を介して連結されている固定筒部４４４は、装身具着脱用筒部４４３よりも小径であり、装身具２４の一端側の外径６５と略同一となっている。そして、この固定筒部４４４の他方の空間（通し部）４４６内には装身具２４の一端側が予め挿入されて固定されている。
【０２２４】
このような構造では、予め装身具２４の一端側を固定筒部４４４内に挿通固定しておき、装身具使用時には、首等に巻き付けた装身具２４の一端側を任意の長さ挿通することにより、装身具として所定径のリングとして調整し、装着することができる。
【符号の説明】
【０２２５】
１１  装身具本体
１２  チューブ
１３、１４、１５、６３、７４  磁石
１６、１７  キャップ
２４  装身具
２５  外皮
２６、２７  外キャップ
６５  スペーサ
【図１】
0003205260.tif 000003
【図２】
0003205260.tif 000004
【図３】
0003205260.tif 000005
【図４】
0003205260.tif 000006
【図５】
0003205260.tif 000007
【図６】
0003205260.tif 000008
【図７】
0003205260.tif 000009
【図８】
0003205260.tif 000010
【図９】
0003205260.tif 000011
【図１０】
0003205260.tif 000012
【図１１】
0003205260.tif 000013
【図１２】
0003205260.tif 000014
【図１３】
0003205260.tif 000015
【図１４】
0003205260.tif 000016
【図１５】
0003205260.tif 000017
【図１６】
0003205260.tif 000018
【図１７】
0003205260.tif 000019
【図１８】
0003205260.tif 000020
【図１９】
0003205260.tif 000021
【図２０】
0003205260.tif 000022
【図２１】
0003205260.tif 000023
【図２２】
0003205260.tif 000024
【図２３】
0003205260.tif 000025
【図２４】
0003205260.tif 000026
【図２５】
0003205260.tif 000027
【図２６】
0003205260.tif 000028
【図２７】
0003205260.tif 000029
【図２８】
0003205260.tif 000030
【図２９】
0003205260.tif 000031
【図３０】
0003205260.tif 000032
【図３１】
0003205260.tif 000033
【図３２】
0003205260.tif 000034
【図３３】
0003205260.tif 000035
【図３４】
0003205260.tif 000036
【図３５】
0003205260.tif 000037
【図３６】
0003205260.tif 000038
【図３７】
0003205260.tif 000039
【図３８】
0003205260.tif 000040
【図３９】
0003205260.tif 000041
【図４０】
0003205260.tif 000042
【図４１】
0003205260.tif 000043
【図４２】
0003205260.tif 000044
【図４３】
0003205260.tif 000045
【図４４】
0003205260.tif 000046
【図４５】
0003205260.tif 000047
【図４６】
0003205260.tif 000048
【図４７】
0003205260.tif 000049
【図４８】
0003205260.tif 000050
【図４９】
0003205260.tif 000051
【図５０】
0003205260.tif 000052
【図５１】
0003205260.tif 000053
【図５２】
0003205260.tif 000054
【図５３】
0003205260.tif 000055
【図５４】
0003205260.tif 000056
【図５５】
0003205260.tif 000057
【図５６】
0003205260.tif 000058
【図５７】
0003205260.tif 000059
【図５８】
0003205260.tif 000060
【図５９】
0003205260.tif 000061
【図６０】
0003205260.tif 000062
【図６１】
0003205260.tif 000063
【図６２】
0003205260.tif 000064
【図６３】
0003205260.tif 000065
【図６４】
0003205260.tif 000066
【図６５】
0003205260.tif 000067
【図６６】
0003205260.tif 000068
【図６７】
0003205260.tif 000069
【図６８】
0003205260.tif 000070
【図６９】
0003205260.tif 000071
【図７０】
0003205260.tif 000072